(57)【要約】  本技術は、使い勝手を向上させることができるようにする情報処理装置および方法、並びにプログラムに関する。情報処理装置は、メニュー項目が表示される１または複数のメニューページのなかから、メニュー項目に関する設定の操作を行う対象位置を選択するとともに、選択の決定が指示された場合、選択の決定に応じた設定処理を行う制御部を備える。本技術は撮像装置に適用することができる。
2018088239.tif 000002
【特許請求の範囲】
【請求項１】
メニュー項目が表示される１または複数のメニューページのなかから、前記メニュー項目に関する設定の操作を行う対象位置を選択するとともに、前記選択の決定が指示された場合、前記選択の決定に応じた設定処理を行う制御部を備える
情報処理装置。
【請求項２】
前記制御部は、前記メニューページの少なくとも一部が含まれる、前記対象位置を選択するための選択画面を表示させ、前記選択画面に対するユーザの操作に応じて前記対象位置を選択する
請求項１に記載の情報処理装置。
【請求項３】
前記制御部は、複数の前記選択画面のうちの何れかが表示されるように、前記ユーザの操作に応じて前記選択画面の表示を切り替える
請求項２に記載の情報処理装置。
【請求項４】
前記制御部は、前記設定処理後、設定の操作を行う新たなメニュー項目または対象位置を選択するための画面を表示させる
請求項２に記載の情報処理装置。
【請求項５】
前記対象位置は、前記メニューページにおける新たな前記メニュー項目の追加先の位置である
請求項１に記載の情報処理装置。
【請求項６】
前記対象位置は、前記メニューページにおける前記メニュー項目の移動先の位置である
請求項１に記載の情報処理装置。
【請求項７】
前記制御部は、１または複数の前記メニューページから移動させる前記メニュー項目を選択した後、前記対象位置として、前記移動させる前記メニュー項目の移動先の位置を選択する
請求項６に記載の情報処理装置。
【請求項８】
前記対象位置は、前記メニューページにおける削除する前記メニュー項目の位置である
請求項１に記載の情報処理装置。
【請求項９】
前記メニュー項目に関する設定の操作は、前記メニュー項目の追加、前記メニュー項目の並べ替え、または前記メニュー項目の削除である
請求項１に記載の情報処理装置。
【請求項１０】
メニュー項目が表示される１または複数のメニューページのなかから、前記メニュー項目に関する設定の操作を行う対象位置を選択するとともに、前記選択の決定が指示された場合、前記選択の決定に応じた設定処理を行う
ステップを含む情報処理方法。
【請求項１１】
メニュー項目が表示される１または複数のメニューページのなかから、前記メニュー項目に関する設定の操作を行う対象位置を選択するとともに、前記選択の決定が指示された場合、前記選択の決定に応じた設定処理を行う
ステップを含む処理をコンピュータに実行させるプログラム。
【請求項１２】
メニューページに対する指定されたメニュー項目の追加または移動が指示された場合、
前記メニューページに表示される前記メニュー項目の数が表示可能な最大数未満であるとき、前記メニューページにおける指定された位置に前記指定された前記メニュー項目が追加または移動されるように前記メニューページを更新し、
前記メニューページに表示される前記メニュー項目の数が前記最大数であるとき、前記メニューページにおける指定された位置にある前記メニュー項目が、前記指定された前記メニュー項目に置き換えられるように前記メニューページを更新する
制御部を備える
情報処理装置。
【請求項１３】
前記制御部は、前記メニューページの少なくとも一部が含まれる、前記指定された前記メニュー項目の追加先または移動先を選択するための選択画面を表示させ、前記選択画面に対するユーザの操作に応じて前記メニューページを更新する
請求項１２に記載の情報処理装置。
【請求項１４】
前記制御部は、前記メニューページに表示される前記メニュー項目の数が前記最大数未満であるか否かに応じて、前記指定された前記メニュー項目の追加先または移動先の位置を選択するための指示画像を異なる表示形式で前記選択画面上に表示させる
請求項１３に記載の情報処理装置。
【請求項１５】
前記制御部は、複数の前記選択画面のうちの何れかが表示されるように、前記ユーザの操作に応じて前記選択画面の表示を切り替える
請求項１３に記載の情報処理装置。
【請求項１６】
メニューページに対する指定されたメニュー項目の追加または移動が指示された場合、
前記メニューページに表示される前記メニュー項目の数が表示可能な最大数未満であるとき、前記メニューページにおける指定された位置に前記指定された前記メニュー項目が追加または移動されるように前記メニューページを更新し、
前記メニューページに表示される前記メニュー項目の数が前記最大数であるとき、前記メニューページにおける指定された位置にある前記メニュー項目が、前記指定された前記メニュー項目に置き換えられるように前記メニューページを更新する
ステップを含む情報処理方法。
【請求項１７】
メニューページに対する指定されたメニュー項目の追加または移動が指示された場合、
前記メニューページに表示される前記メニュー項目の数が表示可能な最大数未満であるとき、前記メニューページにおける指定された位置に前記指定された前記メニュー項目が追加または移動されるように前記メニューページを更新し、
前記メニューページに表示される前記メニュー項目の数が前記最大数であるとき、前記メニューページにおける指定された位置にある前記メニュー項目が、前記指定された前記メニュー項目に置き換えられるように前記メニューページを更新する
ステップを含む処理をコンピュータに実行させるプログラム。
【発明の詳細な説明】
【技術分野】
【０００１】
本技術は情報処理装置および方法、並びにプログラムに関し、特に、使い勝手を向上させることができるようにした情報処理装置および方法、並びにプログラムに関する。
【背景技術】
【０００２】
従来、デジタルカメラ等の電子機器の使用時に、ユーザが表示されたメニューページのなかから任意のメニュー項目を選択し、選択したメニュー項目に応じた処理を実行させる技術が知られている。【０００３】
そのような技術として、予め定められたメニュー項目が表示されるメニューページだけでなく、ユーザにより選択されたメニュー項目が任意の並び順で表示されるマイメニューページも表示させることができるものも提案されている（例えば、特許文献１参照）。【０００４】
この技術では、ユーザは複数の各マイメニューページの任意の位置に、自身が選択した任意のメニュー項目を登録することができる。また、各マイメニューページには、それらのマイメニューページの設定を変更するためのメニュー項目が表示される。
【先行技術文献】
【特許文献】
【０００５】
【特許文献１】特開２０１６−６２１１６号公報
【発明の概要】
【発明が解決しようとする課題】
【０００６】
しかしながら、上述した技術では、ユーザはマイメニューページごとに設定を行わなければならなかったり、１つの設定を行うために多くの操作ステップが必要であったりするなど、十分に使い勝手がよいとはいえなかった。【０００７】
本技術は、このような状況に鑑みてなされたものであり、使い勝手を向上させることができるようにするものである。
【課題を解決するための手段】
【０００８】
本技術の第１の側面の情報処理装置は、メニュー項目が表示される１または複数のメニューページのなかから、前記メニュー項目に関する設定の操作を行う対象位置を選択するとともに、前記選択の決定が指示された場合、前記選択の決定に応じた設定処理を行う制御部を備える。【０００９】
前記制御部には、前記メニューページの少なくとも一部が含まれる、前記対象位置を選択するための選択画面を表示させ、前記選択画面に対するユーザの操作に応じて前記対象位置を選択させることができる。【００１０】
前記制御部には、複数の前記選択画面のうちの何れかが表示されるように、前記ユーザの操作に応じて前記選択画面の表示を切り替えさせることができる。【００１１】
前記制御部には、前記設定処理後、設定の操作を行う新たなメニュー項目または対象位置を選択するための画面を表示させることができる。【００１２】
前記対象位置を、前記メニューページにおける新たな前記メニュー項目の追加先の位置とすることができる。【００１３】
前記対象位置を、前記メニューページにおける前記メニュー項目の移動先の位置とすることができる。【００１４】
前記制御部には、１または複数の前記メニューページから移動させる前記メニュー項目を選択した後、前記対象位置として、前記移動させる前記メニュー項目の移動先の位置を選択させることができる。【００１５】
前記対象位置を、前記メニューページにおける削除する前記メニュー項目の位置とすることができる。【００１６】
前記メニュー項目に関する設定の操作を、前記メニュー項目の追加、前記メニュー項目の並べ替え、または前記メニュー項目の削除とすることができる。【００１７】
本技術の第１の側面の情報処理方法またはプログラムは、メニュー項目が表示される１または複数のメニューページのなかから、前記メニュー項目に関する設定の操作を行う対象位置を選択するとともに、前記選択の決定が指示された場合、前記選択の決定に応じた設定処理を行うステップを含む。【００１８】
本技術の第１の側面においては、メニュー項目が表示される１または複数のメニューページのなかから、前記メニュー項目に関する設定の操作を行う対象位置が選択されるとともに、前記選択の決定が指示された場合、前記選択の決定に応じた設定処理が行われる。【００１９】
本技術の第２の側面の情報処理装置は、メニューページに対する指定されたメニュー項目の追加または移動が指示された場合、前記メニューページに表示される前記メニュー項目の数が表示可能な最大数未満であるとき、前記メニューページにおける指定された位置に前記指定された前記メニュー項目が追加または移動されるように前記メニューページを更新し、前記メニューページに表示される前記メニュー項目の数が前記最大数であるとき、前記メニューページにおける指定された位置にある前記メニュー項目が、前記指定された前記メニュー項目に置き換えられるように前記メニューページを更新する制御部を備える。【００２０】
前記制御部には、前記メニューページの少なくとも一部が含まれる、前記指定された前記メニュー項目の追加先または移動先を選択するための選択画面を表示させ、前記選択画面に対するユーザの操作に応じて前記メニューページを更新させることができる。【００２１】
前記制御部には、前記メニューページに表示される前記メニュー項目の数が前記最大数未満であるか否かに応じて、前記指定された前記メニュー項目の追加先または移動先の位置を選択するための指示画像を異なる表示形式で前記選択画面上に表示させることができる。【００２２】
前記制御部には、複数の前記選択画面のうちの何れかが表示されるように、前記ユーザの操作に応じて前記選択画面の表示を切り替えさせることができる。【００２３】
本技術の第２の側面の情報処理方法またはプログラムは、メニューページに対する指定されたメニュー項目の追加または移動が指示された場合、前記メニューページに表示される前記メニュー項目の数が表示可能な最大数未満であるとき、前記メニューページにおける指定された位置に前記指定された前記メニュー項目が追加または移動されるように前記メニューページを更新し、前記メニューページに表示される前記メニュー項目の数が前記最大数であるとき、前記メニューページにおける指定された位置にある前記メニュー項目が、前記指定された前記メニュー項目に置き換えられるように前記メニューページを更新するステップを含む。【００２４】
本技術の第２の側面においては、メニューページに対する指定されたメニュー項目の追加または移動が指示された場合、前記メニューページに表示される前記メニュー項目の数が表示可能な最大数未満であるとき、前記メニューページにおける指定された位置に前記指定された前記メニュー項目が追加または移動されるように前記メニューページが更新され、前記メニューページに表示される前記メニュー項目の数が前記最大数であるとき、前記メニューページにおける指定された位置にある前記メニュー項目が、前記指定された前記メニュー項目に置き換えられるように前記メニューページが更新される。
【発明の効果】
【００２５】
本技術の第１の側面および第２の側面によれば、使い勝手を向上させることができる。【００２６】
なお、ここに記載された効果は必ずしも限定されるものではなく、本開示中に記載された何れかの効果であってもよい。
【図面の簡単な説明】
【００２７】
【図１】撮像装置の外観の構成例を示す図である。
【図２】撮像装置の機能的な構成例を示す図である。
【図３】マイメニューページについて説明する図である。
【図４】マイメニューページの設定について説明する図である。
【図５】表示処理を説明するフローチャートである。
【図６】メニュー項目の追加について説明する図である。
【図７】カーソル表示について説明する図である。
【図８】追加処理を説明するフローチャートである。
【図９】メニュー項目の並べ替えについて説明する図である。
【図１０】並べ替え処理を説明するフローチャートである。
【図１１】メニュー項目の削除について説明する図である。
【図１２】削除処理を説明するフローチャートである。
【図１３】コンピュータの構成例を示す図である。
【図１４】手術室システムの全体構成を概略的に示す図である。
【図１５】集中操作パネルにおける操作画面の表示例を示す図である。
【図１６】手術室システムが適用された手術の様子の一例を示す図である。
【図１７】図１６に示すカメラヘッド及びＣＣＵの機能構成の一例を示すブロック図である。
【図１８】車両制御システムの概略的な構成の一例を示すブロック図である。
【図１９】車外情報検出部及び撮像部の設置位置の一例を示す説明図である。
【発明を実施するための形態】
【００２８】
以下、図面を参照して、本技術を適用した実施の形態について説明する。
【００２９】
〈第１の実施の形態〉
〈撮像装置の外観の構成例〉
本技術は、メニューページとして、予め定められたものだけでなく、ユーザが任意に設定（編集）可能なマイメニューページも表示させることができるようにする場合に、マイメニューページの設定を行うためのメニュー項目のみからなるページも設ける等することで、使い勝手を向上させるものである。
【００３０】
本技術は、例えばデジタルスチルカメラやデジタルビデオカメラ、スマートフォン、テレビジョン受像機、レコーダなどの各種の電子機器に適用可能である。以下では、本技術が静止画像や動画像を撮像可能なデジタルスチルカメラである撮像装置に適用された場合を例として説明を続ける。
【００３１】
図１は、本技術を適用した撮像装置の外観の構成例を示す図である。
【００３２】
すなわち、矢印Ｑ１１に示す部分は撮像装置１１を上側から見た上面図を示しており、矢印Ｑ１２に示す部分は撮像装置１１を背面側から見た背面図を示している。
【００３３】
撮像装置１１の前面には、外部からの光を図示せぬイメージセンサへと導くレンズ２１や、各種の操作を行なうためのダイヤル２２が設けられている。また、撮像装置１１の上面にはシャッタボタン２３や、撮影モード等の設定を行うためのダイヤル２４など、各種のボタンが設けられている。
【００３４】
さらに、撮像装置１１の背面側には、矢印Ｑ１２に示すように各種の画像を表示する表示部２５や、各種の操作を行うためのダイヤル２６、ホイール２７、ボタン２８、およびメニューボタン２９が設けられている。
【００３５】
例えば表示部２５は、液晶表示デバイス等からなり、撮像動作時にスルー画像を表示したり、設定操作時等にメニューページ等の画像を表示したりする。
【００３６】
ダイヤル２２やダイヤル２６は、メニューページなどの表示部２５に表示された画面上でカーソル等を移動させるときなどに操作される。ダイヤル２２やダイヤル２６は、それらの中心部分を軸として回転する円盤状の操作部であり、ユーザがダイヤル２２やダイヤル２６を回転させることでカーソルを移動させることができるようになされている。
【００３７】
ホイール２７は、ボタン２８の外周部分に設けられたリング形状の操作部である。例えばユーザは、ホイール２７の上下左右の各方向の端を押したり、ホイール２７をボタン２８の位置を軸として回転させたりすることで、表示部２５に表示されたカーソルを移動させることができる。特に、ユーザがホイール２７の上下左右の各端の位置を操作するときには、ホイール２７は十字キーとして機能することになる。
【００３８】
また、例えばユーザは、ボタン２８を押すことでカーソルにより選択状態とされているメニュー項目について、そのメニュー項目の選択を決定させることができる。すなわち、ボタン２８は決定ボタンとして機能する。メニューボタン２９は、例えば表示部２５上にメニューページを表示させるときに操作される。
【００３９】
なお、ここでは、メニューページ等の表示画面上のカーソルを移動させるなど、表示画面に対する操作を行うための操作手段として、ボタン２８や、ダイヤル２２、ダイヤル２６、ホイール２７が設けられている例について説明する。しかし、その他、ジョイスティックやジョグダイヤル、リモートコマンダ、表示部２５に重畳して設けられたタッチパネルなど、他のどのような操作手段（操作部）により表示画面に対する操作が行われるようにしてもよい。
【００４０】
〈撮像装置の機能の構成例〉
次に、図１に示した撮像装置１１の機能的な構成例について説明する。図２は、撮像装置１１の機能的な構成例を示す図である。なお、図２において図１における場合と対応する部分には同一の符号を付してあり、その説明は適宜省略する。
【００４１】
図２に示す撮像装置１１は撮像部５１、入力部５２、制御部５３、表示部２５、および記録部５４を有している。
【００４２】
撮像部５１は、例えばイメージセンサなどからなり、レンズ２１を介して外部から入射した光を受光して光電変換することで被写体を撮像し、その結果得られた画像を制御部５３に供給する。
【００４３】
入力部５２は、例えばダイヤル２２、シャッタボタン２３、ダイヤル２６、ホイール２７、ボタン２８、メニューボタン２９などからなり、ユーザの操作に応じた信号を制御部５３に供給する。
【００４４】
制御部５３は、撮像装置１１全体の動作を制御する。制御部５３は、表示制御部６１および設定処理部６２を有している。
【００４５】
表示制御部６１は、例えば撮像部５１で得られた画像信号を表示部２５に供給して画像を表示させたり、入力部５２から供給された信号等に応じた表示画面の画像信号を表示部２５に供給してメニューページ等の各種の表示画面（画像）を表示させたりする。
【００４６】
設定処理部６２は、入力部５２から供給された信号に応じて、各種の設定処理を行う。また、制御部５３は、撮像部５１で得られた画像信号を、適宜、記録部５４に供給して記録させる。
【００４７】
表示部２５は、表示制御部６１の制御に従って各種の画像を表示する。記録部５４は、制御部５３から供給された画像信号や、予めインストールされたプログラムなどの各種の情報（データ）を記録し、必要に応じて記録している情報を制御部５３に供給する。
【００４８】
〈マイメニューページについて〉
続いて、表示部２５に表示されるマイメニューページについて説明する。
【００４９】
例えばユーザがメニューボタン２９等を操作してメニューの表示を指示すると、表示部２５には、予め定められたメニュー項目が複数並べられたメニューページが表示される。
【００５０】
このメニューページに表示されるメニュー項目の内容、およびメニュー項目の並ぶ順番は予め定められており、ユーザはそれらのメニュー項目の内容および並び順を変更することはできない。以下では、このような予め定められたメニュー項目が表示されるメニューページを、特に既存メニューページとも称することとする。
【００５１】
撮像装置１１では１または複数の既存メニューページを表示させることができ、ユーザはそれらの既存メニューページ上のメニュー項目のなかから所望のものを選択することで、そのメニュー項目に対して定められた処理を実行させることができる。
【００５２】
ところで、既存メニューページに含まれる複数のメニュー項目のなかには、ユーザが頻繁に使用するものと、それほど頻繁には使用しないものとがある。
【００５３】
そこで、撮像装置１１では、例えば図３に示すように複数の既存メニューページのなかから、ユーザが所望する１または複数のメニュー項目を選択し、新たな１つのメニューページ上に表示させるマイメニュー機能が設けられている。
【００５４】
図３の例では、既存のメニューページとして、既存メニューページMP11-1乃至既存メニューページMP11-3がある。
【００５５】
例えば既存メニューページMP11-1のなかには、ユーザにより頻繁に使用されるメニュー項目MA11-1およびメニュー項目MA11-2があるとする。
【００５６】
同様に、既存メニューページMP11-2のなかには、ユーザにより頻繁に使用されるメニュー項目MA11-3およびメニュー項目MA11-4があり、既存メニューページMP11-3のなかには、ユーザにより頻繁に使用されるメニュー項目MA11-5およびメニュー項目MA11-6があるとする。
【００５７】
なお、以下、既存メニューページMP11-1乃至既存メニューページMP11-3を特に区別する必要のない場合、単に既存メニューページMP11とも称することとする。また、以下、メニュー項目MA11-1乃至メニュー項目MA11-6を特に区別する必要のない場合、単にメニュー項目MA11とも称することとする。
【００５８】
この例のように、既存のメニュー構成では、複数の既存メニューページにわたって各既存メニューページに最大で６個のメニュー項目が表示されているものの、ユーザが使いたいメニュー項目はそれらのうちの一部のみであることがある。
【００５９】
このような場合に、ユーザが３つの既存メニューページMP11のなかから、合計６個のメニュー項目MA11-1乃至メニュー項目MA11-6を選択し、１つの新たなメニューページが作成（生成）されるように操作を行ったとする。
【００６０】
すると、撮像装置１１は図中、右側に示すように、ユーザにより選択されたメニュー項目MA11-1乃至メニュー項目MA11-6が順番に並べられて表示されるメニューページを生成し、マイメニューページMM11とする。
【００６１】
以下では、既存メニューページからユーザにより選択（指定）されたメニュー項目が、ページ上のユーザにより選択（指定）された位置に表示されるメニューページを、特にマイメニューページとも称することとする。なお、以下では、既存メニューページとマイメニューページとを特に区別する必要のない場合には、単にメニューページと称する。
【００６２】
また、この実施の形態ではマイメニューページ上には、最大で６個のメニュー項目を表示させることが可能であり、かつマイメニューページには、そのマイメニューページに関する設定を行うためのメニュー項目は表示されないものとする。
【００６３】
換言すれば、１つのマイメニューページには最大で６個までメニュー項目を登録することができ、マイメニューページに登録可能なメニュー項目は、マイメニューページに関する設定以外の処理、例えば撮像装置１１の機能の起動や動作の設定などを行うためのメニュー項目となっている。特に、この実施の形態では、既存メニューページ上のメニュー項目のみをマイメニューページに登録することができるようになされている。
【００６４】
以下では、１つのマイメニューページに表示可能なメニュー項目の最大の数、すなわち１つのマイメニューページに登録可能なメニュー項目の最大の数を、特に登録可能最大数とも称することとする。
【００６５】
以上のように、ユーザにより選択されたメニュー項目MA11のみが表示されるマイメニューページMM11を生成することで、ユーザ自身に使い勝手のよい独自のメニューページをユーザに提供することができる。これにより、ユーザは撮像装置１１に対する操作時に、マイメニューページMM11から素早く所望するメニュー項目MA11を選択することができ、撮像装置１１の使い勝手を向上させることができる。
【００６６】
なお、ユーザによりマイメニューページが新たに作成されると、設定処理部６２は、新たに生成されたマイメニューページに関する情報であるマイメニューページ情報を生成し、記録する。表示制御部６１は、このマイメニューページ情報を参照することで、マイメニューページを表示させることができる。
【００６７】
例えばマイメニューページ情報は、マイメニューページに既存メニューページ上のどのメニュー項目が含まれているか、すなわちどのメニュー項目が登録されているかを示す登録情報と、その登録されたメニュー項目のマイメニューページ上における表示位置を示す表示位置情報とを含む情報とされる。マイメニューページ情報は設定処理部６２に記録されるようにしてもよいし、記録部５４に記録されるようにしてもよい。
【００６８】
撮像装置１１では、ユーザの操作により、１または複数のマイメニューページを作成可能となっている。
【００６９】
また、撮像装置１１では、マイメニューページの作成や編集、すなわちマイメニューページに関する設定を簡単に行うことができるように、マイメニューページの設定に関する専用のページが設けられている。具体的には、例えばメニュー項目の追加や並べ替え、削除などのマイメニューページの設定に必要な全ての機能を実現するためのメニュー項目が、メニューページとは異なるページに表示されるようになされている。
【００７０】
以下では、マイメニューページに関する設定を行うためのメニュー項目が表示されるページをマイメニュー設定ページとも称することとする。この実施の形態では、マイメニュー設定ページには、予め定められた、マイメニューページに関する設定を行うためのメニュー項目のみが表示され、かつマイメニュー設定ページには常に５個のメニュー項目が表示されるものとする。
【００７１】
このように撮像装置１１では、マイメニューページを作成したり、編集したりするための機能の提供方法として、作成や編集等の設定に必要な全ての機能の実行を指示するためのメニュー項目が、マイメニューページとは異なるマイメニュー設定ページに集約されている。このようにすることで、各マイメニューページを独立に編集するようにする場合と比べて使い勝手を向上させることができる。
【００７２】
具体的には撮像装置１１では、例えば図４に示すように既存メニューページMP21と、マイメニューページMM21と、マイメニュー設定ページMS21とが同じ階層（レイヤ）にある。ユーザは入力部５２を操作して、ページ上のカーソルCU11を図中、横方向へと移動させてページ送りを行うことで、それらの複数のページのうちの何れかが表示部２５に表示されるように表示を切り替えることができる。
【００７３】
すなわち、例えばユーザにより入力部５２としてのメニューボタン２９が操作されると、表示制御部６１は表示部２５を制御して、表示部２５に既存メニューページMP21を表示させる。
【００７４】
このような状態で、例えばユーザが入力部５２としてのホイール２７の右側の端部分を押してページ送り操作を行うと、他の既存メニューページやマイメニューページへと表示部２５の表示が切り替えられていき、マイメニューページMM21が表示された状態となる。
【００７５】
そして、さらにユーザが入力部５２としてのホイール２７の右側の端部分を押してページ送り操作を行うと、表示制御部６１はユーザによるページ送り操作に応じて表示部２５を制御し、表示部２５にマイメニュー設定ページMS21を表示させる。
【００７６】
この例では、マイメニュー設定ページMS21には５個のメニュー項目MA21-1乃至メニュー項目MA21-5が表示されている。
【００７７】
例えば文字「Add Item」が表示されたメニュー項目MA21-1は、任意のマイメニューページの任意の位置に、既存メニューページ上にある任意のメニュー項目を追加する追加機能を実行させるためのメニュー項目である。特に、まだ１つもマイメニューページが作成されていない状態でメニュー項目MA21-1が操作されたときには、新たに１つのマイメニューページが作成され、そのマイメニューページ上に任意のメニュー項目を追加、すなわち登録することができるようになされている。
【００７８】
また、文字「Sort Item」が表示されたメニュー項目MA21-2は、任意のマイメニューページ上の任意のメニュー項目を、そのマイメニューページ上または他のマイメニューページ上の任意の位置へと移動させる、すなわちメニュー項目の並べ替えを行う並べ替え機能を実行させるためのメニュー項目である。
【００７９】
文字「Delete Item」が表示されたメニュー項目MA21-3は、任意のマイメニューページ上の任意のメニュー項目を削除させるメニュー項目削除機能を実行させるためのメニュー項目である。
【００８０】
文字「Delete Page」が表示されたメニュー項目MA21-4は、任意のマイメニューページを削除させるページ削除機能を実行させるためのメニュー項目である。文字「Delete All」が表示されたメニュー項目MA21-5は、現時点で作成されている全てのマイメニューページを一括して削除させ、初期化させる初期化機能を実行させるためのメニュー項目である。
【００８１】
なお、メニュー項目MA21-5が操作されたときなど、初期状態であるときにはマイメニューページはないので、ユーザがページ送り操作を行うと複数の既存メニューページとマイメニュー設定ページのうちの何れかが表示されるように表示切り替えが行われる。また、ここではマイメニュー設定ページは１ページのみとされているが、複数のマイメニュー設定ページが表示されるようにしてもよい。
【００８２】
このように撮像装置１１では追加機能、並べ替え機能、メニュー項目削除機能、ページ削除機能、および初期化機能といった作成や編集等のマイメニューページに関する設定を行うための全ての機能のメニュー項目が１つのマイメニュー設定ページMS21に集約されている。そして、マイメニュー設定ページMS21上のメニュー項目を操作することで、全てのマイメニューページに関する設定を行うことができるようになされている。特に、マイメニューページの設定時には、複数のマイメニューページにまたがって設定を行うことができるようになされている。
【００８３】
このようにすることで、マイメニューページに関する設定を行うためのメニュー項目を各マイメニューページに設ける必要がなくなるので、各マイメニューページには既存メニューページと同じ数だけメニュー項目を登録することができる。したがって、ユーザはマイメニューページを既存メニューページと全く同じ使い勝手で使用することができる。
【００８４】
例えば各マイメニューページに、そのマイメニューページに関する設定のためのメニュー項目を表示させると、登録可能最大数が既存メニューページに表示される最大のメニュー項目数よりも１つ少なくなってしまう。
【００８５】
また、この場合、常にマイメニューページ上に、マイメニューページに関する設定のためのメニュー項目が表示されている状態となるが、このメニュー項目は、マイメニューページの設定（編集）を次に行なうときまでは不要なものである。つまり、そのようなメニュー項目は、マイメニューページを通常のメニュー画面として使用するときには表示されない方がよく、既存メニューページと比較するとマイメニューページの使い勝手が劣ってしまう。
【００８６】
これに対して、撮像装置１１では、マイメニューページには、そのマイメニューページに関する設定を行うためのメニュー項目は表示されず、登録可能最大数として既存メニューページに表示される最大のメニュー項目数と同じ数を確保することができる。そのため、マイメニューページを既存メニューページと同じ感覚で使用することができ、使い勝手を向上させることができる。特に、マイメニューページの設定後、つまり編集後のメニューとしての使い勝手を向上させることができる。
【００８７】
〈表示処理の説明〉
ここで、以上において説明したようにユーザがメニューページやマイメニュー設定ページを表示させて、所望のメニュー項目に対応する処理を実行させるときの撮像装置１１の動作について説明する。
【００８８】
すなわち、以下、図５のフローチャートを参照して、撮像装置１１による表示処理について説明する。この表示処理は、例えば入力部５２としてのメニューボタン２９が操作され、表示部２５に既存メニューページが表示された状態となると開始される。
【００８９】
ステップＳ１１において、制御部５３は、ユーザによる入力部５２に対する操作を受け付ける。
【００９０】
すると、ユーザは、入力部５２としてのダイヤル２２やダイヤル２６、ホイール２７等を操作して表示画面に対する操作を行うことができるようになる。
【００９１】
すなわち、例えばユーザは既存メニューページ上に表示された、メニュー項目を選択するための指示画像であるカーソルを移動させたり、入力部５２としてのボタン２８を操作してカーソルにより選択状態とされたメニュー項目の選択を決定したりすることができる。
【００９２】
ステップＳ１２において、表示制御部６１はメニューページを表示させるか否かを判定する。
【００９３】
例えば表示制御部６１は、ユーザによりページ送り操作が行われて、既存メニューページまたはマイメニューページの表示が指示された場合、メニューページを表示させると判定する。
【００９４】
ステップＳ１２においてメニューページを表示させると判定された場合、ステップＳ１３において、表示制御部６１は表示部２５を制御して、表示部２５にメニューページを表示させる。
【００９５】
例えばユーザがカーソルを表示画面上の横方向に移動させることでページ送りの操作を行い、その結果としてメニューページ、つまり既存メニューページまたはマイメニューページの表示が指示されると、表示制御部６１は、その指示に応じて表示の切り替えを行う。すなわち、表示制御部６１は、ユーザの操作に応じて入力部５２から供給された信号に基づいて表示部２５を制御し、表示部２５にメニューページを表示させる。
【００９６】
また、表示部２５にメニューページが表示されると、ユーザはさらに入力部５２を操作して、カーソルにより所望のメニュー項目を選択するとともに、そのメニュー項目の選択の決定を指示する。
【００９７】
ここで、メニュー項目が選択された状態とは、カーソルによりメニュー項目がフォーカスされた状態、つまりカーソルがメニュー項目の位置にある状態をいう。また、メニュー項目の選択が決定された状態とは、カーソルによりメニュー項目が選択されている状態から、さらにユーザが入力部５２としてのボタン２８等を押して、メニュー項目に対応する処理の実行を指示した状態、つまり最終的にメニュー項目の選択を決定した状態である。
【００９８】
ステップＳ１４において、制御部５３は、ユーザの操作に応じて入力部５２から供給された信号に基づいて、選択が決定されたメニュー項目に応じた処理を実行する。
【００９９】
例えば選択が決定されたメニュー項目が、動画像のファイルフォーマットの設定を行うためのメニュー項目であったとする。そのような場合、制御部５３の表示制御部６１は、表示部２５にファイルフォーマットを選択するための画面を表示させ、制御部５３はユーザにより指定されたファイルフォーマットで動画像が記録されるように撮像時の設定を変更する処理を行う。メニュー項目に応じた処理が実行されると、表示処理は終了する。
【０１００】
一方、ステップＳ１２において、メニューページを表示させないと判定された場合、すなわちユーザによりマイメニュー設定ページへの表示切り替えが指示された場合、ステップＳ１５において、表示制御部６１は表示部２５を制御して、表示部２５にマイメニュー設定ページを表示させる。
【０１０１】
また、表示部２５にマイメニュー設定ページが表示されると、ユーザはさらに入力部５２を操作して、カーソルにより所望のメニュー項目を選択するとともに、そのメニュー項目の選択の決定を指示する。
【０１０２】
ステップＳ１６において、制御部５３は、ユーザの操作に応じて入力部５２から供給された信号に基づいて、マイメニュー設定ページ上の選択が決定されたメニュー項目に応じた設定処理を実行する。
【０１０３】
例えば図４に示したマイメニュー設定ページMS21が表示されており、カーソルCU11によってメニュー項目MA21-1が選択されている状態で、ユーザが入力部５２を操作することで、メニュー項目MA21-1の選択の決定を指示したとする。
【０１０４】
そのような場合、制御部５３は、適宜、表示部２５に必要な画面（画像）を表示させながら、ユーザに追加対象とするメニュー項目と、そのメニュー項目の追加先の位置を選択させ、ユーザによる操作に応じてマイメニューページを更新する。すなわち、ユーザにより指定されたマイメニューページ上の位置に、ユーザにより指定されたメニュー項目が追加されるように、そのマイメニューページのマイメニューページ情報を更新する処理を設定処理として行う。メニュー項目に応じた設定処理が実行されると、表示処理は終了する。
【０１０５】
以上のようにして撮像装置１１は、メニューページまたはマイメニュー設定ページのうちの何れかが表示されるように、ユーザの操作に応じて表示の切り替えを行うとともに、メニュー項目の選択が決定されると、そのメニュー項目に対して定められた処理を行う。
【０１０６】
このようにメニューページとは別にマイメニュー設定ページを設けることで、マイメニューページをより使いやすくすることができ、撮像装置１１の使い勝手を向上させることができる。
【０１０７】
〈メニュー項目の追加について〉
ここで、図５のステップＳ１６において行われる設定処理のより具体的な例について説明する。
【０１０８】
まず、マイメニューページにメニュー項目を追加する追加機能を実現する処理が設定処理として行われる場合について説明する。
【０１０９】
例えば図６の矢印Ｑ１１に示すようにマイメニュー設定ページMS21が表示されている状態で、メニュー項目MA21-1の選択が決定されたとする。なお、図６において図４における場合と対応する部分には同一の符号を付してあり、その説明は適宜省略する。
【０１１０】
矢印Ｑ１１に示すようにマイメニュー設定ページMS21上のメニュー項目MA21-1の選択が決定されると、表示制御部６１は、選択決定の操作に応じて入力部５２から供給される信号に基づいて表示部２５を制御し、表示部２５に矢印Ｑ１２に示す追加項目選択画面AS11を表示させる。
【０１１１】
ここで、追加項目選択画面AS11は、１つの既存メニューページの少なくとも一部、より詳細には既存メニューページのメニュー項目が表示された部分を含む、マイメニューページへと追加するメニュー項目を選択するための選択画面（ページ）である。
【０１１２】
この例では、追加項目選択画面AS11上には、メニュー項目MA31を含む６個のメニュー項目が表示されており、これらのメニュー項目は所定の１つの既存メニューページ上に表示されているメニュー項目と同じとなっている。また、追加項目選択画面AS11上のメニュー項目は、所定の既存メニューページ上における場合と同じ順番で表示されている。
【０１１３】
換言すれば、追加項目選択画面AS11には、既存メニューページに表示されるメニュー項目の一覧が表示されている。
【０１１４】
ユーザは、入力部５２を操作してカーソルCU11を追加項目選択画面AS11上の上下方向に移動させることで、新たにマイメニューページに追加しようとする所望のメニュー項目を選択することができ、この例ではメニュー項目MA31が選択状態となっている。
【０１１５】
また、ユーザは入力部５２を操作してカーソルCU11を図中、左右方向、つまり表示されているページに対して左右方向に移動させてページ送りを指示することで、表示部２５における表示を追加項目選択画面AS11とは異なる他の追加項目選択画面へと切り替えることができる。撮像装置１１では、表示される既存メニューページの数と同じ数だけ追加項目選択画面が表示される。つまり、１または複数の既存メニューページのそれぞれに対応する、１または複数の追加項目選択画面のそれぞれのうちの何れかが表示されるように、表示制御部６１による表示切り替えが行われる。
【０１１６】
このように、ユーザは追加項目選択画面AS11を含む１または複数の追加項目選択画面のなかから、所望のメニュー項目を選択することで、１または複数の既存メニューページのなかから、マイメニューページに追加する１つのメニュー項目を指定することができる。
【０１１７】
例えば追加項目選択画面AS11からメニュー項目MA31が選択され、その選択が決定されると、表示制御部６１は、入力部５２から供給されたユーザの操作に応じた信号に基づいて表示部２５を制御し、表示部２５に矢印Ｑ１３に示す追加場所選択画面LS11を表示させる。
【０１１８】
ここで、追加場所選択画面LS11は、１つのマイメニューページの少なくとも一部、より詳細にはマイメニューページのメニュー項目が表示された部分を含む、マイメニューページへと追加するメニュー項目の表示位置を選択するための選択画面（ページ）である。
【０１１９】
この例では、追加場所選択画面LS11上にはメニュー項目MA32-1乃至メニュー項目MA32-4と、メニュー項目の追加先の位置、つまり追加対象のメニュー項目を表示させる位置を指定（選択）するための線形状のカーソルCU21が表示されている。
【０１２０】
追加場所選択画面LS11上のメニュー項目MA32-1乃至メニュー項目MA32-4は、所定の１つのマイメニューページ上に表示されているメニュー項目と同じとなっている。また、追加場所選択画面LS11上のメニュー項目は、所定のマイメニューページ上における場合と同じ順番で表示されている。すなわち、追加場所選択画面LS11上には、所定の１つのマイメニューページ上に表示されるメニュー項目が、そのまま同じように表示されている。
【０１２１】
ユーザは、入力部５２を操作してカーソルCU21を追加場所選択画面LS11上の上下方向に移動させることで、所望のメニュー項目間の位置をメニュー項目の追加先の位置として選択することができる。この例ではメニュー項目MA32-2とメニュー項目MA32-3の間の位置が選択状態とされている。
【０１２２】
また、ユーザは入力部５２を操作してカーソルCU21を図中、左右方向、つまり表示されているページに対して左右方向に移動させてページ送りを指示することで、表示部２５における表示を追加場所選択画面LS11とは異なる他の追加場所選択画面へと切り替えることができる。撮像装置１１では、表示されるマイメニューページの数と同じ数だけ追加場所選択画面が表示される。つまり、１または複数のマイメニューページのそれぞれに対応する、１または複数の追加場所選択画面のそれぞれのうちの何れかが表示されるように、表示制御部６１による表示切り替えが行われる。
【０１２３】
このように、ユーザは追加場所選択画面LS11を含む１または複数の追加場所選択画面上の位置のなかから所望の位置を選択することで、１または複数のマイメニューページ上の位置のなかからメニュー項目の追加先の位置を選択することができる。すなわち、ユーザはメニュー項目を追加するマイメニューページと、そのマイメニューページ上における、追加するメニュー項目の表示位置とを選択することができる。
【０１２４】
追加場所選択画面LS11からメニュー項目の追加先の位置を選択することは、マイメニューページにメニュー項目を追加するという、メニュー項目に関する設定の操作を行う対象位置を選択することである。
【０１２５】
例えば追加場所選択画面LS11上の位置から、メニュー項目MA32-2とメニュー項目MA32-3との間の位置が選択され、その選択が決定されたとする。
【０１２６】
この場合、設定処理部６２は、マイメニューページにおけるメニュー項目MA32-2とメニュー項目MA32-3との間の位置に、追加項目選択画面AS11から選択されたメニュー項目MA31が表示されるように、追加場所選択画面LS11に対応するマイメニューページを更新する。すなわち、設定処理部６２は、追加場所選択画面LS11に対応するマイメニューページのマイメニューページ情報を更新することで、マイメニューページにメニュー項目MA31を追加し、マイメニューページを更新する。
【０１２７】
マイメニューページが更新されると、その後、表示制御部６１は例えば矢印Ｑ１４に示すように、マイメニューページに新たなメニュー項目が追加された旨の文字メッセージ「Added」が表示される追加確認画面CN11を表示部２５に表示させる。
【０１２８】
これにより、ユーザは所望のマイメニューページに自身が選択したメニュー項目が追加されたことを把握することができる。
【０１２９】
そして、追加確認画面CN11が表示されると、表示制御部６１は表示部２５を制御して、表示部２５の表示を追加項目選択画面AS11へと戻す。すなわち、表示制御部６１は表示部２５における表示を追加確認画面CN11から追加項目選択画面AS11へと切り替える。
【０１３０】
これにより、ユーザは、新たに表示された追加項目選択画面AS11に対して操作を行ったり、適宜、表示の切り替えを指示して他の追加項目選択画面を表示させたりして、新たなメニュー項目をマイメニューページに追加することができる。
【０１３１】
すなわち、撮像装置１１では、１つのメニュー項目をマイメニューページに追加する操作が終了すると、表示が追加項目選択画面に戻り、連続して次のメニュー項目をマイメニューページに追加する操作を行うことができる。
【０１３２】
なお、追加項目選択画面AS11が表示されている状態で、例えば入力部５２としてのメニューボタン２９が操作されると、表示部２５の表示はマイメニュー設定ページMS21に戻る。また、追加場所選択画面LS11が表示されている状態で、例えば入力部５２としてのメニューボタン２９が操作されると、表示部２５の表示は追加項目選択画面AS11に戻るようにしてもよいし、マイメニュー設定ページMS21等の他のページに戻るようにしてもよい。
【０１３３】
さらに、ここでは追加場所選択画面LS11等でメニュー項目の追加先の位置の選択が決定されると追加確認画面CN11が表示される例について説明したが、追加確認画面CN11上に選択の確認を行う決定ボタンとキャンセルボタンが表示されるようにしてもよい。
【０１３４】
そのような場合、例えば決定ボタンが操作されると、メニュー項目の追加に関する操作の選択が決定されたとされてマイメニューページ情報が更新され、キャンセルボタンが操作されると、それまでの選択操作がキャンセルされるようにすることができる。つまり、キャンセルボタンが操作された場合には、マイメニューページ情報が更新されず、新たなメニュー項目の追加の操作は行われなかったものとされる。
【０１３５】
このように撮像装置１１では、マイメニューページに新たなメニュー項目を追加する際には、追加先のマイメニューページと、そのマイメニューページ上におけるメニュー項目の追加先の位置とを同時に選択することができる。また、１つのメニュー項目を追加する操作を行った後、続けて他のメニュー項目を追加する操作を行うことができる。
【０１３６】
そのため、撮像装置１１では、メニュー項目の登録可能数の限界、つまり（マイメニューページの作成可能ページ数×登録可能最大数）の分の数だけ連続してメニュー項目を追加する操作を行うことができ、使い勝手を向上させることができる。
【０１３７】
例えばマイメニューページごとに、マイメニューページに関する設定のためのメニュー項目が表示される場合、複数のマイメニューページについてメニュー項目の追加を行おうとするときに使い勝手がよくない。
【０１３８】
これは、マイメニューページごとにメニュー項目を追加する操作を行わなければならないからである。すなわち、メニュー項目の追加を行うマイメニューページを選択する操作、メニュー項目を追加するためのメニュー項目を選択する操作、追加するメニュー項目を選択する操作、およびメニュー項目の追加先の位置を選択する操作をマイメニューページごとに行わなければならず、操作ステップ数が多くなってしまう。
【０１３９】
また、マイメニューページごとに操作を行わなければならないため、ユーザは、まず追加しようとするメニュー項目を考えてから、メニュー項目を追加しようとするマイメニューページを選択する操作を行い、その後、考えていた追加するメニュー項目を実際に選択する操作を行わなければならず、不便である。
【０１４０】
これに対して、撮像装置１１では、一旦、メニュー項目追加のためのメニュー項目MA21-1を選択する操作を行った後は、追加するメニュー項目を選択する操作、および追加先のマイメニューページと位置を選択する操作を、追加するメニュー項目の数だけ繰り返し行うだけでよい。そのため、マイメニューページごとに操作を行う場合と比較して、より少ない操作ステップ数でメニュー項目を追加することができ、使い勝手を向上させることができる。しかも、この場合、メニュー項目の追加先のマイメニューページと位置を同時に選択することができるだけでなく、複数のマイメニューページのなかから任意のマイメニューページを追加先のページとして選択することができるので、さらに使い勝手を向上させることができる。
【０１４１】
また、矢印Ｑ１３に示した例では、追加場所選択画面LS11上に線形状のカーソルCU21が表示されているが、より詳細には追加場所選択画面に対応するマイメニューページに登録されているメニュー項目の数に応じてカーソルの表示形式は変化する。
【０１４２】
具体的には、例えば図７の矢印Ｑ２１に示すように、追加場所選択画面LS11に登録可能最大数未満、つまり６未満の４個のメニュー項目が表示されているとする。すなわち、現時点で追加場所選択画面LS11に対応するマイメニューページに登録されているメニュー項目の数が登録可能最大数未満であるとする。なお、図７において図６における場合と対応する部分には同一の符号を付してあり、その説明は適宜省略する。
【０１４３】
図７の矢印Ｑ２１に示すように、追加場所選択画面LS11に表示されているメニュー項目の数が登録可能最大数未満であり、追加場所選択画面LS11に対応するマイメニューページに、まだ新たなメニュー項目を登録するための空きがあるとする。
【０１４４】
この場合、図６を参照して説明したように追加場所選択画面LS11には線形状のカーソルCU21がメニュー項目の追加先の位置を選択するための指示画像として表示される。そして、ユーザはこのカーソルCU21を移動させてメニュー項目間の位置、つまり行間の位置を、メニュー項目の追加先の位置として選択する。
【０１４５】
追加先の位置の選択が決定されると、設定処理部６２は、マイメニューページ情報に含まれる登録情報と表示位置情報を更新する。すなわち、登録情報に新たに追加するメニュー項目を示す情報が追加されるとともに、各メニュー項目の表示順が新たなメニュー項目追加後の表示順となるように表示位置情報が更新される。
【０１４６】
これに対して、例えば図７の矢印Ｑ２２に示すように追加場所選択画面LS31に登録可能最大数である６個のメニュー項目が表示されているとする。すなわち現時点で追加場所選択画面LS31に対応するマイメニューページに登録されているメニュー項目の数が登録可能最大数であるとする。
【０１４７】
このようにマイメニューページに、新たにメニュー項目を追加（登録）するための空きがない場合、追加場所選択画面LS31には、カーソルCU21とは異なる表示形式のカーソルCU31が表示される。
【０１４８】
矢印Ｑ２２に示す例では、追加場所選択画面LS31上には、登録可能最大数である６個のメニュー項目MA41-1乃至メニュー項目MA41-6と、矩形状のカーソルCU31が表示されている。
【０１４９】
このカーソルCU31は、１つのメニュー項目が囲まれるように表示される矩形状の指示画像となっており、カーソルCU31によって、メニュー項目MA41-1の位置が新たなメニュー項目の追加先の位置として選択されている。
【０１５０】
矢印Ｑ２１に示した例では、カーソルCU21はメニュー項目間の位置を新たなメニュー項目の追加先の位置として選択（指定）するためのものであった。
【０１５１】
これに対して、矢印Ｑ２２の例ではカーソルCU31は追加場所選択画面LS31上、すなわち追加場所選択画面LS31に対応するマイメニューページ上の登録済みのメニュー項目の位置を新たなメニュー項目の追加先の位置として選択するためのものとなっている。これは、マイメニューページには最大で６個までしかメニュー項目を登録することができないところ、既に登録可能最大数である６個のメニュー項目が登録されているためである。
【０１５２】
この場合、カーソルCU31により選択されているメニュー項目の位置が、新たなメニュー項目の追加先の位置として選択され、その選択が決定されると、設定処理部６２はカーソルCU31により選択されているメニュー項目が、マイメニューページ上において新たに追加されるメニュー項目に置き換えられるようにマイメニューページを更新する。
【０１５３】
すなわち、矢印Ｑ２２に示す例において、メニュー項目MA41-1の位置が新たなメニュー項目の追加先の位置として選択され、その選択が決定されたとする。
【０１５４】
この場合、マイメニューページ情報としての登録情報および表示位置情報には、メニュー項目MA41-1に関する情報が含まれているので、設定処理部６２は、そのメニュー項目MA41-1に関する情報を、新たに追加するメニュー項目に関する情報に書き換えることで、つまり上書きすることで、マイメニューページ情報を更新する。したがって、更新後のマイメニューページを表示させたときには、更新前にメニュー項目MA41-1が表示されていた位置に、メニュー項目MA41-1に代えて新たに追加されたメニュー項目が表示されることになる。
【０１５５】
このように、新たにメニュー項目を追加しようとするマイメニューページでのメニュー項目の登録数が、既に登録可能最大数に達してしまっているときには、登録済みのメニュー項目の何れかを、新たに追加するメニュー項目に置き換えるようにすることで、使い勝手を向上させることができる。
【０１５６】
例えば、マイメニューページに新たなメニュー項目を追加しようと操作しているときに、既にメニュー項目の登録数が登録可能最大数に達してしまっているとする。
【０１５７】
この場合、一般的なマイメニューページでは、ユーザは一旦、メニュー項目を追加する操作を中止して、マイメニューページに登録済みのメニュー項目のなかの１つを削除する操作を行ってから、新たにメニュー項目を追加する操作を行う必要がある。そのため、メニュー項目の追加を完了させるまでに、手戻りなど、操作ステップ数が多くなってしまう。
【０１５８】
これに対して、撮像装置１１では、カーソルCU31によりメニュー項目の追加先の位置を選択する操作によって追加先を選択するだけでなく、それと同時に登録済みのメニュー項目のうちの削除するものを選択することができるので、操作ステップ数が少なくてすむ。すなわち、手戻り等の操作を必要とせずに、より簡単かつ少ない操作ステップ数で、新たなメニュー項目を追加することができ、使い勝手を向上させることができる。
【０１５９】
特に、この例では、新たなメニュー項目の追加先のマイメニューページにおけるメニュー項目の登録状況に応じて、そのマイメニューページに対応する追加場所選択画面上に表示形式の異なるカーソルを表示させることで、ユーザにマイメニューページにおけるメニュー項目の登録状況を簡単に把握させることができる。
【０１６０】
なお、ここではメニュー項目の追加先の位置を選択するためのカーソルとして、線形状のカーソルと、矩形状のカーソルとの何れかを表示させる例について説明したが、その他、カーソルの表示形式はどのようなものであってもよい。
【０１６１】
例えばメニュー項目の追加先の位置を示すカーソルは、追加先の位置がハイライト表示されるものであってもよいし、追加先の位置や、その位置にあるメニュー項目内の文字等が点滅表示されるものであってもよい。さらに、メニュー項目の登録状況に応じてカーソルの枠自体や、そのカーソル内にあるメニュー項目の文字等が異なる色で表示されるようにしてもよい。
【０１６２】
〈追加処理の説明〉
次に、以上において説明した、マイメニューページに新たなメニュー項目を追加するときに撮像装置１１により行われる処理について説明する。すなわち、以下、図８のフローチャートを参照して、撮像装置１１による追加処理について説明する。
【０１６３】
この追加処理は、図５のステップＳ１６に対応する処理であり、例えば図５のステップＳ１５においてマイメニュー設定ページが表示され、マイメニュー設定ページ上の追加機能を実行させるためのメニュー項目の選択が決定されると開始される。
【０１６４】
ステップＳ４１において、表示制御部６１は、ユーザの操作に応じて入力部５２から供給された信号に基づいて表示部２５を制御し、表示部２５に追加項目選択画面を表示させる。これにより、例えば図６に示した追加項目選択画面AS11が表示部２５に表示される。
【０１６５】
ステップＳ４２において、設定処理部６２は、追加項目選択画面上に表示されたカーソルにより選択されているメニュー項目を、マイメニューページへの追加対象とするメニュー項目として選択する。
【０１６６】
例えば、ユーザは追加項目選択画面上でカーソルを上下に移動させて、選択するメニュー項目を変更したり、ページ送り操作を行って他の追加項目選択画面上のメニュー項目を選択したりすることができる。図６の矢印Ｑ１２に示す例では、追加項目選択画面AS11上のメニュー項目MA31が追加対象のメニュー項目として選択されている。
【０１６７】
また、ユーザは所望のメニュー項目がカーソルにより選択されている状態で、入力部５２としてのボタン２８を操作するなどして、選択の決定を指示する。すると、設定処理部６２は、選択の決定が指示されたメニュー項目を、新たに追加するメニュー項目、つまり追加対象とするメニュー項目として決定する。
【０１６８】
ステップＳ４３において、表示制御部６１は、設定処理部６２に記録されているマイメニューページ情報を参照しながら表示部２５を制御して、表示部２５に追加場所選択画面を表示させる。これにより、例えば図６に示した追加場所選択画面LS11が表示される。なお、追加場所選択画面が複数ある場合には、ユーザはページ送り操作を行って表示切り替えを指示し、所望の追加場所選択画面を表示させることができる。
【０１６９】
ステップＳ４４において、表示制御部６１は、設定処理部６２に記録されているマイメニューページ情報を参照して、ステップＳ４３で表示させた追加場所選択画面に対応するマイメニューページの登録済みのメニュー項目の数が、登録可能最大数であるか否かを判定する。
【０１７０】
ステップＳ４４において登録可能最大数であると判定された場合、ステップＳ４５において表示制御部６１は表示部２５を制御して、ステップＳ４３で表示された追加場所選択画面上に矩形状のカーソルを表示させる。これにより、例えば図７の矢印Ｑ２２に示した矩形状のカーソルCU31が表示される。
【０１７１】
ステップＳ４６において、設定処理部６２は、追加場所選択画面上に表示されたカーソルにより選択されている、追加場所選択画面に対応するマイメニューページの登録済みのメニュー項目の位置を、新たなメニュー項目の追加先の位置として選択する。
【０１７２】
ユーザは、適宜、ページ送り操作をして他の追加場所選択画面を表示させながら、所望の追加場所選択画面上における所望のメニュー項目の位置を、追加先の位置としてカーソルにより選択する。なお、より詳細には、他の追加場所選択画面に対応するマイメニューページでのメニュー項目の登録状況に応じて、他の追加場所選択画面上のカーソルの表示形式は変化する。また、ユーザは入力部５２としてのボタン２８を操作するなどして、追加先の位置の選択の決定を指示する。すなわち、ユーザはマイメニューページに対するメニュー項目の追加を指示する。
【０１７３】
すると、設定処理部６２は、選択の決定が指示されたメニュー項目の位置を、新たなメニュー項目の追加先の位置として決定する。
【０１７４】
ステップＳ４７において、設定処理部６２はマイメニューページ情報を更新することで、ステップＳ４６において選択の決定がなされたマイメニューページ上の位置にあるメニュー項目を、ステップＳ４２において選択の決定がなされたメニュー項目に置き換える。
【０１７５】
すなわち、設定処理部６２は、ユーザにより指定されたマイメニューページ上のメニュー項目が削除され、その削除されたメニュー項目の位置に、追加対象のメニュー項目が追加されるようにマイメニューページ情報を更新する設定処理を行う。これにより、マイメニューページが更新される。
【０１７６】
このようにしてマイメニューページが更新されると、その後、処理はステップＳ５１へと進む。
【０１７７】
これに対して、ステップＳ４４において登録可能最大数でないと判定された場合、処理はステップＳ４８へと進む。
【０１７８】
ステップＳ４８において表示制御部６１は表示部２５を制御して、ステップＳ４３で表示された追加場所選択画面上に線形状のカーソルを表示させる。これにより、例えば図７の矢印Ｑ２１に示した線形状のカーソルCU21が表示される。
【０１７９】
ステップＳ４９において、設定処理部６２は、追加場所選択画面上に表示されたカーソルにより選択されている、追加場所選択画面に対応するマイメニューページ上の登録済みのメニュー項目の間の位置を、新たなメニュー項目の追加先の位置として選択する。
【０１８０】
ユーザは、適宜、ページ送り操作をして他の追加場所選択画面を表示させながら、所望の追加場所選択画面上における所望のメニュー項目間の位置を、追加先の位置としてカーソルにより選択する。なお、より詳細には、他の追加場所選択画面に対応するマイメニューページでのメニュー項目の登録状況に応じて、他の追加場所選択画面上のカーソルの表示形式は変化する。また、ユーザは入力部５２としてのボタン２８を操作するなどして、追加先の位置の選択の決定を指示する。すなわち、ユーザはマイメニューページに対するメニュー項目の追加を指示する。
【０１８１】
すると、設定処理部６２は、選択の決定が指示された位置を、新たなメニュー項目の追加先の位置として決定する。
【０１８２】
ステップＳ５０において、設定処理部６２はマイメニューページ情報を更新することで、ステップＳ４９において選択の決定がなされたマイメニューページ上の位置に、ステップＳ４２において選択の決定がなされたメニュー項目を追加する。
【０１８３】
すなわち、設定処理部６２は、ユーザにより指定されたマイメニューページ上の位置に、追加対象のメニュー項目が追加されるようにマイメニューページ情報を更新する設定処理を行うことで、マイメニューページを更新する。
【０１８４】
このようにしてマイメニューページが更新されると、その後、処理はステップＳ５１へと進む。
【０１８５】
ステップＳ４７またはステップＳ５０の処理が行われてマイメニューページが更新されると、ステップＳ５１において、表示制御部６１は表示部２５を制御して、表示部２５に追加確認画面を表示させ、追加処理は終了する。
【０１８６】
これにより、例えば図６に示した追加確認画面CN11が表示される。追加確認画面が表示されると、その後、表示制御部６１は、表示部２５に追加項目選択画面を表示させて、新たなメニュー項目を追加する処理を続けて行う。すなわち、ステップＳ５１で追加確認画面が表示されると、その後、新たな追加処理が開始され、表示部２５に追加項目選択画面が表示される。
【０１８７】
以上のようにして撮像装置１１は、ユーザの操作に応じて追加対象とするメニュー項目と、そのメニュー項目の追加先の位置を決定し、マイメニューページにメニュー項目を追加する。また、撮像装置１１はメニュー項目の追加先の位置を決定するための追加場所選択画面を表示させる際、その追加場所選択画面に対応するマイメニューページにおけるメニュー項目の登録状況に応じた表示形式のカーソルを表示させるとともに、登録状況に応じてマイメニューページにメニュー項目を追加する。
【０１８８】
このようにすることで、より少ない操作ステップ数で簡単にメニュー項目を追加することができ、撮像装置１１の使い勝手を向上させることができる。
【０１８９】
〈メニュー項目の並べ替えについて〉
次に、図５のステップＳ１６において行われる設定処理の他の具体的な例として、マイメニューページにあるメニュー項目を並べ替える並べ替え機能を実現する処理が行われる場合について説明する。
【０１９０】
例えば図９の矢印Ｑ３１に示すようにマイメニュー設定ページMS21が表示されている状態で、メニュー項目MA21-2の選択が決定されたとする。なお、図９において図４における場合と対応する部分には同一の符号を付してあり、その説明は適宜省略する。
【０１９１】
矢印Ｑ３１に示すようにマイメニュー設定ページMS21上のメニュー項目MA21-2の選択が決定されると、表示制御部６１は、選択決定の操作に応じて入力部５２から供給される信号に基づいて表示部２５を制御し、表示部２５に矢印Ｑ３２に示す移動項目選択画面SS11を表示させる。
【０１９２】
ここで、移動項目選択画面SS11は、１つのマイメニューページの少なくとも一部、より詳細にはマイメニューページのメニュー項目が表示された部分を含む、同じまたは他のマイメニューページへと移動させるメニュー項目を選択するための選択画面（ページ）である。すなわち、移動項目選択画面SS11は移動元のメニュー項目を選択するための選択画面である。
【０１９３】
この例では、移動項目選択画面SS11上には、６個のメニュー項目MA51-1乃至メニュー項目MA51-6が表示されている。これらのメニュー項目MA51-1乃至メニュー項目MA51-6は所定の１つのマイメニューページ上に表示されるメニュー項目、つまり現時点でマイメニューページに登録済みとなっているメニュー項目と同じとなっている。また、移動項目選択画面SS11上のメニュー項目は、所定のマイメニューページ上における場合と同じ順番で表示されている。
【０１９４】
換言すれば、移動項目選択画面SS11には、マイメニューページに表示されるメニュー項目の一覧が表示されている。
【０１９５】
ユーザは、入力部５２を操作してカーソルCU11を移動項目選択画面SS11上の上下方向に移動させることで、マイメニューページ上の移動させようとする所望のメニュー項目を選択することができ、この例ではメニュー項目MA51-2が選択状態となっている。
【０１９６】
また、ユーザは入力部５２を操作してカーソルCU11を図中、左右方向、つまり表示されているページに対して左右方向に移動させてページ送りを指示することで、表示部２５における表示を移動項目選択画面SS11とは異なる他の移動項目選択画面へと切り替えることができる。撮像装置１１では、表示されるマイメニューページの数と同じ数だけ移動項目選択画面が表示される。つまり、１または複数のマイメニューページのそれぞれに対応する、１または複数の移動項目選択画面のそれぞれのうちの何れかが表示されるように、表示制御部６１による表示切り替えが行われる。
【０１９７】
このように、ユーザは移動項目選択画面SS11を含む１または複数の移動項目選択画面のなかから所望のメニュー項目を選択することで、１または複数のマイメニューページのなかから、移動対象とする１つのメニュー項目を指定することができる。
【０１９８】
例えば移動項目選択画面SS11からメニュー項目MA51-2が選択され、その選択が決定されると、表示制御部６１は、入力部５２から供給されたユーザの操作に応じた信号に基づいて表示部２５を制御し、表示部２５に矢印Ｑ３３に示す移動場所選択画面TL11を表示させる。
【０１９９】
ここで、移動場所選択画面TL11は、１つのマイメニューページの少なくとも一部、より詳細にはマイメニューページのメニュー項目が表示された部分を含む、マイメニューページへと移動させるメニュー項目の表示位置を選択するための選択画面（ページ）である。つまり、メニュー項目の移動先の位置を選択するための選択画面である。
【０２００】
この例では、移動場所選択画面TL11上にはメニュー項目MA51-1乃至メニュー項目MA51-6と、メニュー項目の移動先の位置、つまり移動対象のメニュー項目を表示させる位置を指定（選択）するための線形状のカーソルCU41が表示されている。
【０２０１】
移動場所選択画面TL11上のメニュー項目MA51-1乃至メニュー項目MA51-6は、所定の１つのマイメニューページ上に表示されているメニュー項目と同じとなっている。また、移動場所選択画面TL11上のメニュー項目は、所定のマイメニューページ上における場合と同じ順番で表示されている。すなわち、移動場所選択画面TL11上には、所定の１つのマイメニューページ上に表示されるメニュー項目が、そのまま同じように表示されている。
【０２０２】
特に、この例では、移動場所選択画面TL11に対応するマイメニューページと、移動項目選択画面SS11に対応するマイメニューページとが同じであるため、これらの移動場所選択画面TL11と移動項目選択画面SS11とでは同じメニュー項目が表示されている。
【０２０３】
また、移動場所選択画面TL11上では、メニュー項目MA51-2が移動項目選択画面SS11において移動元、つまり移動対象として選択されたメニュー項目であることを容易に把握することができるように所定の矩形枠で囲まれている。つまり、他のメニュー項目とは異なる表示形式で表示されている。
【０２０４】
ユーザは、入力部５２を操作してカーソルCU41を移動場所選択画面TL11上の上下方向に移動させることで、所望のメニュー項目間の位置をメニュー項目の移動先の位置として選択することができる。この例ではメニュー項目MA51-4とメニュー項目MA51-5の間の位置が選択状態とされている。
【０２０５】
また、ユーザは入力部５２を操作してカーソルCU41を図中、左右方向、つまり表示されているページに対して左右方向に移動させてページ送りを指示することで、表示部２５における表示を移動場所選択画面TL11とは異なる他の移動場所選択画面へと切り替えることができる。撮像装置１１では、表示されるマイメニューページの数と同じ数だけ移動場所選択画面が表示される。つまり、１または複数のマイメニューページのそれぞれに対応する、１または複数の移動場所選択画面のそれぞれのうちの何れかが表示されるように、表示制御部６１による表示切り替えが行われる。
【０２０６】
このように、ユーザは移動場所選択画面TL11を含む１または複数の移動場所選択画面上の位置のなかから所望の位置を選択することで、１または複数のマイメニューページのなかからメニュー項目の移動先の位置を選択することができる。すなわち、ユーザはメニュー項目の移動先のマイメニューページと、そのマイメニューページ上におけるメニュー項目の移動先の位置とを同時に選択することができる。
【０２０７】
移動場所選択画面TL11からメニュー項目の移動先の位置を選択することは、マイメニューページ上のメニュー項目を移動させるという、メニュー項目に関する設定の操作を行う対象位置を選択することである。
【０２０８】
例えば移動場所選択画面TL11上の位置から、メニュー項目MA51-4とメニュー項目MA51-5との間の位置が選択され、その選択が決定されたとする。
【０２０９】
この場合、設定処理部６２は、マイメニューページ上から移動対象として選択されたメニュー項目MA51-2が削除されるように、移動項目選択画面SS11に対応するマイメニューページを更新する。
【０２１０】
同時に設定処理部６２は、マイメニューページにおけるメニュー項目MA51-4とメニュー項目MA51-5との間の位置に、移動項目選択画面SS11から選択されたメニュー項目MA51-2が表示されるように、移動場所選択画面TL11に対応するマイメニューページを更新する。
【０２１１】
すなわち、設定処理部６２は、移動項目選択画面SS11および移動場所選択画面TL11のそれぞれに対応するマイメニューページのマイメニューページ情報を更新することで、メニュー項目MA51-2を移動させ、マイメニューページを更新する。
【０２１２】
したがって、この例では、移動項目選択画面SS11および移動場所選択画面TL11に対応するマイメニューページは、ページ上側からメニュー項目MA51-1、メニュー項目MA51-3、メニュー項目MA51-4、メニュー項目MA51-2、メニュー項目MA51-5、およびメニュー項目MA51-6が順番に並ぶように表示順が更新される。つまり、メニュー項目の並べ替えが行われる。
【０２１３】
なお、移動場所選択画面においても、上述した追加場所選択画面における場合と同様に、移動場所選択画面に対応するマイメニューページの登録済みのメニュー項目の数に応じて線形状のカーソルが表示されるか、または矩形状のカーソルが表示される。
【０２１４】
すなわち、移動場所選択画面に対応するマイメニューページの登録済みのメニュー項目の数が登録可能最大数未満である場合には、線形状のカーソルが表示され、そうでない場合には矩形状のカーソルが表示される。
【０２１５】
但し、移動場所選択画面に対応するマイメニューページと、移動項目選択画面に対応するマイメニューページとが同じである場合には、マイメニューページの登録済みのメニュー項目の数は登録可能最大数未満であるとされる。これは、移動対象とするメニュー項目の決定前の時点において、マイメニューページの登録済みのメニュー項目の数が登録可能最大数であっても、移動対象とするメニュー項目が決定された時点で、そのマイメニューページには登録可能なメニュー項目の数に空きができるからである。したがって、そのような場合には、移動場所選択画面に対応するマイメニューページの登録済みのメニュー項目の数が登録可能最大数未満であるとされ、線形状のカーソルが表示される。
【０２１６】
また、移動場所選択画面において矩形状のカーソルが表示される場合には、メニュー項目の追加時と同様に、メニュー項目の移動時には、矩形状のカーソルの位置にあるメニュー項目が、移動対象のメニュー項目に置き換えられる。
【０２１７】
なお、移動場所選択画面上に表示される、メニュー項目の移動先の位置を選択するためのカーソルについても、メニュー項目の追加先の位置を選択するためのカーソルと同様に、メニュー項目の登録状況に応じて異なる表示形式で表示されれば、どのようなものであってもよい。すなわち、線形状や矩形状のカーソルに限らず、ハイライト表示されるものや点滅表示されるもの、異なる色で表示されるものなど、どのようなものであってもよい。
【０２１８】
移動元および移動先のマイメニューページが更新されると、その後、表示制御部６１は表示部２５を制御して、表示部２５の表示を移動項目選択画面SS11へと戻す。すなわち、表示制御部６１は表示部２５における表示を移動場所選択画面TL11から移動項目選択画面SS11へと切り替える。
【０２１９】
これにより、ユーザは、新たに表示された移動項目選択画面SS11に対して操作を行ったり、適宜、表示の切り替えを指示して他の移動項目選択画面を表示させたりして、新たなメニュー項目を移動させることができる。
【０２２０】
すなわち、撮像装置１１では、マイメニューページ上の１つのメニュー項目を移動させる操作が終了すると、表示が移動項目選択画面に戻り、連続して次のメニュー項目を移動させる操作を行うことができる。
【０２２１】
移動項目選択画面SS11が表示されている状態で、例えば入力部５２としてのメニューボタン２９が操作されると、表示部２５の表示はマイメニュー設定ページMS21に戻る。また、移動場所選択画面TL11が表示されている状態で、例えば入力部５２としてのメニューボタン２９が操作されると、表示部２５の表示は移動項目選択画面SS11に戻るようにしてもよいし、マイメニュー設定ページMS21等の他のページに戻るようにしてもよい。
【０２２２】
さらに、ここでは移動場所選択画面TL11等でメニュー項目の移動先の位置の選択が決定されると、移動項目選択画面SS11に戻る例について説明したが、メニュー項目の追加時と同様に、メニュー項目の並べ替えの確認画面が表示されるようにしてもよい。また、メニュー項目の並べ替えの確認画面には、選択の確認を行う決定ボタンとキャンセルボタンが表示されるようにしてもよい。
【０２２３】
このように撮像装置１１では、マイメニューページ上のメニュー項目を移動させる際には移動元と移動先のそれぞれについて、対象とするマイメニューページと、移動元または移動先とを同時に選択することができる。
【０２２４】
特に、この場合、全てのマイメニューページのなかから任意の位置を移動先として選択することができる。そのため、例えばマイメニューページごとに設定を行う場合と比較して、少ない操作ステップ数でメニュー項目を移動させることができ、使い勝手を向上させることができる。
【０２２５】
また、撮像装置１１では、１つのメニュー項目を移動させる操作を行った後、続けて他のメニュー項目を移動させる操作を行うことができるので、メニュー項目の追加時と同様に、少ない操作ステップ数で複数のメニュー項目を移動させることができる。
【０２２６】
さらに、撮像装置１１では、メニュー項目の移動先の位置を選択するときには、移動先とするマイメニューページにおけるメニュー項目の登録状況に応じて、メニュー項目の移動先の位置を選択するためのカーソルの表示形式と、移動時の処理が変化する。
【０２２７】
特に撮像装置１１では、矩形状のカーソルによりメニュー項目の移動先の位置を選択する操作によって移動先を選択するだけでなく、それと同時に登録済みのメニュー項目のうちの削除するものを選択することができるので、操作ステップ数が少なくてすむ。すなわち、手戻り等の操作を必要とせずに、より簡単な操作で、かつ少ない操作ステップ数でメニュー項目を移動させることができ、使い勝手を向上させることができる。
【０２２８】
〈並べ替え処理の説明〉
次に、以上において説明した、マイメニューページ上のメニュー項目を任意のマイメニューページ上の位置に移動させるときに撮像装置１１により行われる処理について説明する。
【０２２９】
すなわち、以下、図１０のフローチャートを参照して、撮像装置１１による並べ替え処理について説明する。この並べ替え処理は、図５のステップＳ１６に対応する処理であり、例えば図５のステップＳ１５においてマイメニュー設定ページが表示され、マイメニュー設定ページ上の並べ替え機能を実行させるためのメニュー項目の選択が決定されると開始される。
【０２３０】
ステップＳ８１において、表示制御部６１は、ユーザの操作に応じて入力部５２から供給された信号に基づいて表示部２５を制御し、表示部２５に移動項目選択画面を表示させる。これにより、例えば図９に示した移動項目選択画面SS11が表示部２５に表示される。
【０２３１】
ステップＳ８２において、設定処理部６２は、移動項目選択画面上に表示されたカーソルにより選択されているメニュー項目を移動対象のメニュー項目、つまり移動元のメニュー項目として選択する。
【０２３２】
例えば、ユーザは移動項目選択画面上でカーソルを上下に移動させて、選択するメニュー項目を変更したり、ページ送り操作を行って他の移動項目選択画面上のメニュー項目を選択したりすることができる。
【０２３３】
また、ユーザは所望のメニュー項目がカーソルにより選択されている状態で、入力部５２としてのボタン２８を操作するなどして、選択の決定を指示する。すると、設定処理部６２は、選択の決定が指示されたメニュー項目を移動対象のメニュー項目として決定する。
【０２３４】
さらに、設定処理部６２は、移動対象のメニュー項目があるマイメニューページにおける登録されたメニュー項目の数を、一時的に現時点における数から１だけ減らす。これにより、後述するステップＳ８４において、移動対象のメニュー項目があるマイメニューページと、移動場所選択画面に対応するマイメニューページとが同じである場合には、登録可能最大数であると判定されないようになる。
【０２３５】
ステップＳ８３において、表示制御部６１は表示部２５を制御して、表示部２５に移動場所選択画面を表示させる。これにより、例えば図９に示した移動場所選択画面TL11が表示される。なお、移動場所選択画面が複数ある場合には、ユーザはページ送り操作を行って表示切り替えを指示し、所望の移動場所選択画面を表示させることができる。
【０２３６】
ステップＳ８４において、表示制御部６１は、設定処理部６２に記録されているマイメニューページ情報を参照して、ステップＳ８３で表示させた移動場所選択画面に対応するマイメニューページの登録済みのメニュー項目の数が、登録可能最大数であるか否かを判定する。
【０２３７】
ステップＳ８４において登録可能最大数であると判定された場合、ステップＳ８５において表示制御部６１は表示部２５を制御して、ステップＳ８３で表示された移動場所選択画面上に矩形状のカーソルを表示させる。これにより、例えば図７の矢印Ｑ２２に示した矩形状のカーソルCU31が表示される。
【０２３８】
ステップＳ８６において、設定処理部６２は、移動場所選択画面上に表示されたカーソルにより選択されている、移動場所選択画面に対応するマイメニューページの登録済みのメニュー項目の位置を、メニュー項目の移動先の位置として選択する。
【０２３９】
ユーザは、移動場所選択画面上における所望のメニュー項目の位置を、移動先の位置としてカーソルにより選択する。また、ユーザは入力部５２としてのボタン２８を操作するなどして、移動先の位置の選択の決定を指示する。すなわち、ユーザはマイメニューページにおけるメニュー項目の移動（並べ替え）を指示する。すると、設定処理部６２は、選択の決定が指示されたメニュー項目の位置をメニュー項目の移動先の位置として決定する。
【０２４０】
なお、より詳細には、移動先の位置の選択時にはユーザは適宜、ページ送り操作をして他の移動場所選択画面を表示させながら、メニュー項目の移動先の位置を選択することができる。
【０２４１】
ステップＳ８７において、設定処理部６２はマイメニューページ情報を更新することで、ステップＳ８６において選択の決定がなされたマイメニューページ上の位置にあるメニュー項目を、ステップＳ８２において選択の決定がなされたメニュー項目に置き換える。
【０２４２】
すなわち、設定処理部６２は、移動対象として指定されたメニュー項目が、もとのマイメニューページ上から削除されるように、移動対象のメニュー項目があるマイメニューページのマイメニューページ情報を更新する。
【０２４３】
そして、設定処理部６２は、マイメニューページ上の移動先として指定されたメニュー項目が削除され、その削除されたメニュー項目の位置に、移動対象のメニュー項目が追加されるようにマイメニューページ情報を更新する。
【０２４４】
このように設定処理部６２は、移動対象のメニュー項目があるマイメニューページのマイメニューページ情報と、メニュー項目の移動先のマイメニューページのマイメニューページ情報とを更新する処理を設定処理として行い、マイメニューページを更新する。すなわち、マイメニューページにおけるメニュー項目の並べ替えが行われる。マイメニューページが更新されると、並べ替え処理は終了する。
【０２４５】
これに対して、ステップＳ８４において登録可能最大数でないと判定された場合、処理はステップＳ８８へと進む。
【０２４６】
ステップＳ８８において表示制御部６１は表示部２５を制御して、ステップＳ８３で表示された移動場所選択画面上に線形状のカーソルを表示させる。これにより、例えば図７の矢印Ｑ２１に示した線形状のカーソルCU21が表示される。
【０２４７】
ステップＳ８９において、設定処理部６２は、移動場所選択画面上に表示されたカーソルにより選択されている、移動場所選択画面に対応するマイメニューページ上の登録済みのメニュー項目の間の位置を、メニュー項目の移動先の位置として選択する。
【０２４８】
ユーザは移動場所選択画面上における所望のメニュー項目間の位置を、移動先の位置としてカーソルにより選択する。また、ユーザは入力部５２としてのボタン２８を操作するなどして、移動先の位置の選択の決定を指示する。すなわち、ユーザはマイメニューページにおけるメニュー項目の移動（並べ替え）を指示する。すると、設定処理部６２は選択の決定が指示された位置を、メニュー項目の移動先の位置として決定する。
【０２４９】
なお、より詳細には、移動先の位置の選択時にはユーザは適宜、ページ送り操作をして他の移動場所選択画面を表示させながら、メニュー項目の移動先の位置を選択することができる。
【０２５０】
ステップＳ９０において、設定処理部６２はマイメニューページ情報を更新することで、ステップＳ８９において選択の決定がなされたマイメニューページ上の位置に、ステップＳ８２において選択の決定がなされたメニュー項目を移動させる。
【０２５１】
すなわち、設定処理部６２は、移動対象として指定されたメニュー項目が、もとのマイメニューページ上から削除されるように、移動対象のメニュー項目があるマイメニューページのマイメニューページ情報を更新する。そして設定処理部６２は、ユーザにより移動先として指定されたマイメニューページ上の位置に、移動対象のメニュー項目が追加されるようにマイメニューページ情報を更新する。
【０２５２】
このように設定処理部６２は、移動対象のメニュー項目があるマイメニューページのマイメニューページ情報と、メニュー項目の移動先のマイメニューページのマイメニューページ情報とを更新する処理を設定処理として行い、マイメニューページを更新する。すなわち、マイメニューページにおけるメニュー項目の並べ替えが行われる。マイメニューページが更新されると、並べ替え処理は終了する。
【０２５３】
ステップＳ８７またはステップＳ９０の処理が行われて並べ替え処理が終了すると、その後、表示制御部６１は、表示部２５に移動項目選択画面を表示させて、新たなメニュー項目を移動させる処理を続けて行う。すなわち、メニュー項目が移動されると、その後、新たな並べ替え処理が開始され、表示部２５に移動項目選択画面が表示される。
【０２５４】
以上のようにして撮像装置１１は、ユーザの操作に応じて移動対象とするメニュー項目と、そのメニュー項目の移動先の位置を決定し、マイメニューページ上のメニュー項目を移動させる。すなわち、メニュー項目の並べ替えが行われる。
【０２５５】
また、撮像装置１１はメニュー項目の移動先の位置を決定するための移動場所選択画面を表示させる際、その移動場所選択画面に対応するマイメニューページにおけるメニュー項目の登録状況に応じた表示形式のカーソルを表示させるとともに、登録状況に応じてマイメニューページにメニュー項目を移動させる。
【０２５６】
このようにすることで、より少ない操作ステップ数で簡単にメニュー項目の並べ替えを行うことができ、撮像装置１１の使い勝手を向上させることができる。
【０２５７】
〈メニュー項目の削除について〉
さらに、図５のステップＳ１６において行われる設定処理の他の具体的な例として、マイメニューページにあるメニュー項目を削除するメニュー項目削除機能を実現する処理が行われる場合について説明する。
【０２５８】
例えば図１１の矢印Ｑ４１に示すようにマイメニュー設定ページMS21が表示されている状態で、メニュー項目MA21-3の選択が決定されたとする。なお、図１１において図４における場合と対応する部分には同一の符号を付してあり、その説明は適宜省略する。
【０２５９】
矢印Ｑ４１に示すようにマイメニュー設定ページMS21上のメニュー項目MA21-3の選択が決定されると、表示制御部６１は、選択決定の操作に応じて入力部５２から供給される信号に基づいて表示部２５を制御し、表示部２５に矢印Ｑ４２に示す削除項目選択画面DI11を表示させる。
【０２６０】
ここで、削除項目選択画面DI11は、１つのマイメニューページの少なくとも一部、より詳細にはマイメニューページのメニュー項目が表示された部分を含む、マイメニューページから削除するメニュー項目を選択するための選択画面（ページ）である。
【０２６１】
この例では、削除項目選択画面DI11上には、メニュー項目MA61を含む６個のメニュー項目が表示されており、これらのメニュー項目は所定の１つのマイメニューページ上に表示されているメニュー項目と同じとなっている。また、削除項目選択画面DI11上のメニュー項目は、所定のマイメニューページ上における場合と同じ順番で表示されている。
【０２６２】
換言すれば、削除項目選択画面DI11には、マイメニューページに表示されるメニュー項目の一覧が表示されている。
【０２６３】
ユーザは、入力部５２を操作してカーソルCU11を削除項目選択画面DI11上の上下方向に移動させることで削除しようとする所望のメニュー項目、すなわち削除しようとするメニュー項目の位置を選択することができる。この例ではメニュー項目MA61が選択状態となっている。
【０２６４】
また、ユーザは入力部５２を操作してカーソルCU11を図中、左右方向、つまり表示されているページに対して左右方向に移動させてページ送りを指示することで、表示部２５における表示を削除項目選択画面DI11とは異なる他の削除項目選択画面へと切り替えることができる。撮像装置１１では、表示されるマイメニューページの数と同じ数だけ削除項目選択画面が表示される。つまり、１または複数のマイメニューページのそれぞれに対応する、１または複数の削除項目選択画面のそれぞれのうちの何れかが表示されるように、表示制御部６１による表示切り替えが行われる。
【０２６５】
このように、ユーザは削除項目選択画面DI11を含む１または複数の削除項目選択画面のなかから所望のメニュー項目を選択することで、１または複数のマイメニューページのなかから削除する１つのメニュー項目を指定することができる。
【０２６６】
削除項目選択画面DI11から削除するメニュー項目を選択することは、マイメニューページからメニュー項目を削除するという、メニュー項目に関する設定の操作を行う対象位置を選択することである。
【０２６７】
例えば削除項目選択画面DI11からメニュー項目MA61が選択され、その選択が決定されると、表示制御部６１は、入力部５２から供給されたユーザの操作に応じた信号に基づいて表示部２５を制御し、表示部２５に矢印Ｑ４３に示す削除確認画面DC11を表示させる。
【０２６８】
ここで、削除確認画面DC11は、削除対象として決定されたメニュー項目を削除してもよいかを確認する画面である。この例では、削除確認画面DC11には削除の確認のための文字メッセージ「Delete this item?」と、ＯＫボタンBT11およびキャンセルボタンBT12とが表示されている。
【０２６９】
ＯＫボタンBT11がユーザにより操作されると、設定処理部６２は削除対象として選択され、その選択が決定されたメニュー項目をマイメニューページから削除する。
【０２７０】
例えば削除項目選択画面DI11上でメニュー項目MA61が選択され、その選択が決定された後、ＯＫボタンBT11が操作されたとする。そのような場合、設定処理部６２は、削除項目選択画面DI11に対応するマイメニューページからメニュー項目MA61が削除されるように、そのマイメニューページのマイメニューページ情報を更新する。
【０２７１】
ＯＫボタンBT11が操作されてメニュー項目が削除されると、表示制御部６１は表示部２５を制御して、表示部２５の表示を削除項目選択画面DI11へと戻す。すなわち、表示制御部６１は表示部２５における表示を削除確認画面DC11から削除項目選択画面DI11へと切り替える。
【０２７２】
これにより、ユーザは、新たに表示された削除項目選択画面DI11に対して操作を行ったり、適宜、表示の切り替えを指示して他の削除項目選択画面を表示させたりして、新たなメニュー項目をマイメニューページから削除することができる。
【０２７３】
すなわち、撮像装置１１では、１つのメニュー項目をマイメニューページから削除する操作が終了すると、表示が削除項目選択画面に戻り、連続して次のメニュー項目をマイメニューページから削除する操作を行うことができる。
【０２７４】
なお、削除項目選択画面DI11が表示されている状態で、例えば入力部５２としてのメニューボタン２９が操作されると、表示部２５の表示はマイメニュー設定ページMS21に戻る。
【０２７５】
これに対して、削除確認画面DC11に表示されたキャンセルボタンBT12が操作された場合、設定処理部６２は、削除対象とするメニュー項目の選択の決定を解除する。すなわち、メニュー項目の削除がキャンセルされる。
【０２７６】
キャンセルボタンBT12が操作されてメニュー項目の削除がキャンセルされると、表示制御部６１は表示部２５を制御して、表示部２５の表示を削除項目選択画面DI11へと戻す。これにより、ユーザは削除対象とするメニュー項目の選択をやり直すことができる。
【０２７７】
なお、キャンセルボタンBT12が操作された場合、表示が削除項目選択画面DI11へと戻されるようにするのではなく、マイメニュー設定ページMS21等の他のページに戻されるようにしてもよい。
【０２７８】
このように撮像装置１１では、マイメニューページから登録済みのメニュー項目を削除する際には、全てのマイメニューページのなかから、削除対象とするメニュー項目を選択することができる。また、１つのメニュー項目を削除する操作を行った後、続けて他のメニュー項目を削除する操作を行うことができる。
【０２７９】
したがって、撮像装置１１では、少ない操作ステップ数で、全マイメニューページのなかから任意の数のメニュー項目を連続して削除することができ、使い勝手を向上させることができる。
【０２８０】
例えばマイメニューページごとに、マイメニューページに関する設定のためのメニュー項目が表示される場合、まずマイメニューページを選択してから削除操作を指定し、その後、削除対象とするメニュー項目を選択する必要がある。また、他の異なるマイメニューページ上のメニュー項目を削除しようとすると、上述した操作を再度行う必要があり、操作ステップ数が多くなってしまう。
【０２８１】
これに対して撮像装置１１では、一旦、メニュー項目を削除するためのメニュー項目を選択する操作を行った後は、全マイメニューページのなかから所望のメニュー項目を削除対象として選択する操作を繰り返し行うだけでよい。そのため、マイメニューページごとに操作を行う場合と比較して、より少ない操作ステップ数でメニュー項目を削除することができ、使い勝手を向上させることができる。
【０２８２】
〈削除処理の説明〉
次に、以上において説明した、マイメニューページ上のメニュー項目を削除するときに撮像装置１１により行われる処理について説明する。
【０２８３】
すなわち、以下、図１２のフローチャートを参照して、撮像装置１１による削除処理について説明する。この削除処理は、図５のステップＳ１６に対応する処理であり、例えば図５のステップＳ１５においてマイメニュー設定ページが表示され、マイメニュー設定ページ上のメニュー項目削除機能を実行させるためのメニュー項目の選択が決定されると開始される。
【０２８４】
ステップＳ１２１において、表示制御部６１は、ユーザの操作に応じて入力部５２から供給された信号に基づいて表示部２５を制御し、表示部２５に削除項目選択画面を表示させる。これにより、例えば図１１に示した削除項目選択画面DI11が表示される。
【０２８５】
ステップＳ１２２において、設定処理部６２は、削除項目選択画面上に表示されたカーソルにより選択されているメニュー項目を、削除対象のメニュー項目として選択する。
【０２８６】
例えば、ユーザは削除項目選択画面上でカーソルを上下に移動させて、選択するメニュー項目を変更したり、ページ送り操作を行って他の削除項目選択画面上のメニュー項目を選択したりすることができる。
【０２８７】
また、ユーザは所望のメニュー項目がカーソルにより選択されている状態で、入力部５２としてのボタン２８を操作するなどして選択の決定を指示する。すると、設定処理部６２は、選択の決定が指示されたメニュー項目を、削除するメニュー項目、つまり削除対象とするメニュー項目として決定する。
【０２８８】
ステップＳ１２３において、表示制御部６１は表示部２５を制御して、表示部２５に削除確認画面を表示させる。これにより、例えば図１１に示した削除確認画面DC11が表示される。
【０２８９】
削除確認画面が表示されると、ユーザは入力部５２を操作して、削除確認画面上のＯＫボタンまたはキャンセルボタンを操作する。すなわち、ユーザはマイメニューページにおけるメニュー項目の削除、または削除操作のキャンセルを指示する。
【０２９０】
ステップＳ１２４において、設定処理部６２は、ユーザの操作に応じて入力部５２から供給された信号に基づいて、メニュー項目を削除するか否かを判定する。例えば削除確認画面上のＯＫボタンが操作された場合、メニュー項目を削除すると判定される。
【０２９１】
ステップＳ１２４において削除しないと判定された場合、すなわちキャンセルボタンが操作された場合、その後、処理はステップＳ１２１に戻り、上述した処理が繰り返し行われる。
【０２９２】
これに対して、ステップＳ１２４において削除すると判定された場合、ステップＳ１２５において、設定処理部６２は、マイメニューページ上から選択が決定されたメニュー項目を削除する。
【０２９３】
すなわち、設定処理部６２は、ユーザにより指定されたマイメニューページ上のメニュー項目が削除されるように、ステップＳ１２２の処理で選択が決定されたメニュー項目のあるマイメニューページのマイメニューページ情報を更新する処理を設定処理として行う。これにより、マイメニューページが更新される。
【０２９４】
このようにしてマイメニューページからメニュー項目が削除されると、削除処理は終了する。メニュー項目の削除が行われて削除処理が終了すると、その後、表示制御部６１は表示部２５に削除項目選択画面を表示させて、新たなメニュー項目を削除する処理を続けて行う。すなわち、ステップＳ１２５でメニュー項目が削除されると、その後、新たな削除処理が開始され、表示部２５に削除項目選択画面が表示される。
【０２９５】
以上のようにして撮像装置１１は、ユーザの操作に応じて削除対象とするメニュー項目を決定し、マイメニューページからメニュー項目を削除する。また、メニュー項目が削除されると、その後、表示は削除項目選択画面に戻される。このようにすることで、より少ない操作ステップ数で簡単にメニュー項目を削除することができ、撮像装置１１の使い勝手を向上させることができる。
【０２９６】
〈コンピュータの構成例〉
ところで、上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のコンピュータなどが含まれる。
【０２９７】
図１３は、上述した一連の処理をプログラムにより実行するコンピュータのハードウェアの構成例を示すブロック図である。
【０２９８】
コンピュータにおいて、ＣＰＵ（Central Processing Unit）５０１，ＲＯＭ（Read Only Memory）５０２，ＲＡＭ（Random Access Memory）５０３は、バス５０４により相互に接続されている。
【０２９９】
バス５０４には、さらに、入出力インターフェース５０５が接続されている。入出力インターフェース５０５には、入力部５０６、出力部５０７、記録部５０８、通信部５０９、及びドライブ５１０が接続されている。
【０３００】
入力部５０６は、キーボード、マウス、マイクロフォン、撮像素子などよりなる。出力部５０７は、ディスプレイ、スピーカなどよりなる。記録部５０８は、ハードディスクや不揮発性のメモリなどよりなる。通信部５０９は、ネットワークインターフェースなどよりなる。ドライブ５１０は、磁気ディスク、光ディスク、光磁気ディスク、又は半導体メモリなどのリムーバブル記録媒体５１１を駆動する。
【０３０１】
以上のように構成されるコンピュータでは、ＣＰＵ５０１が、例えば、記録部５０８に記録されているプログラムを、入出力インターフェース５０５及びバス５０４を介して、ＲＡＭ５０３にロードして実行することにより、上述した一連の処理が行われる。
【０３０２】
コンピュータ（ＣＰＵ５０１）が実行するプログラムは、例えば、パッケージメディア等としてのリムーバブル記録媒体５１１に記録して提供することができる。また、プログラムは、ローカルエリアネットワーク、インターネット、デジタル衛星放送といった、有線または無線の伝送媒体を介して提供することができる。
【０３０３】
コンピュータでは、プログラムは、リムーバブル記録媒体５１１をドライブ５１０に装着することにより、入出力インターフェース５０５を介して、記録部５０８にインストールすることができる。また、プログラムは、有線または無線の伝送媒体を介して、通信部５０９で受信し、記録部５０８にインストールすることができる。その他、プログラムは、ＲＯＭ５０２や記録部５０８に、あらかじめインストールしておくことができる。
【０３０４】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０３０５】
また、本技術の実施の形態は、上述した実施の形態に限定されるものではなく、本技術の要旨を逸脱しない範囲において種々の変更が可能である。
【０３０６】
例えば、本技術は、１つの機能をネットワークを介して複数の装置で分担、共同して処理するクラウドコンピューティングの構成をとることができる。
【０３０７】
また、上述のフローチャートで説明した各ステップは、１つの装置で実行する他、複数の装置で分担して実行することができる。
【０３０８】
さらに、１つのステップに複数の処理が含まれる場合には、その１つのステップに含まれる複数の処理は、１つの装置で実行する他、複数の装置で分担して実行することができる。
【０３０９】
また、本明細書中に記載された効果はあくまで例示であって限定されるものではなく、他の効果があってもよい。
【０３１０】
＜応用例１＞
本開示に係る技術は、様々な製品へ応用することができる。例えば、本開示に係る技術は、手術室システムに適用されてもよい。
【０３１１】
図１４は、本開示に係る技術が適用され得る手術室システム５１００の全体構成を概略的に示す図である。図１４を参照すると、手術室システム５１００は、手術室内に設置される装置群が視聴覚コントローラ（AV  Controller）５１０７及び手術室制御装置５１０９を介して互いに連携可能に接続されることにより構成される。
【０３１２】
手術室には、様々な装置が設置され得る。図１４では、一例として、内視鏡下手術のための各種の装置群５１０１と、手術室の天井に設けられ術者の手元を撮像するシーリングカメラ５１８７と、手術室の天井に設けられ手術室全体の様子を撮像する術場カメラ５１８９と、複数の表示装置５１０３Ａ〜５１０３Ｄと、レコーダ５１０５と、患者ベッド５１８３と、照明５１９１と、を図示している。
【０３１３】
ここで、これらの装置のうち、装置群５１０１は、後述する内視鏡手術システム５１１３に属するものであり、内視鏡や当該内視鏡によって撮像された画像を表示する表示装置等からなる。内視鏡手術システム５１１３に属する各装置は医療用機器とも呼称される。一方、表示装置５１０３Ａ〜５１０３Ｄ、レコーダ５１０５、患者ベッド５１８３及び照明５１９１は、内視鏡手術システム５１１３とは別個に、例えば手術室に備え付けられている装置である。これらの内視鏡手術システム５１１３に属さない各装置は非医療用機器とも呼称される。視聴覚コントローラ５１０７及び／又は手術室制御装置５１０９は、これら医療機器及び非医療機器の動作を互いに連携して制御する。
【０３１４】
視聴覚コントローラ５１０７は、医療機器及び非医療機器における画像表示に関する処理を、統括的に制御する。具体的には、手術室システム５１００が備える装置のうち、装置群５１０１、シーリングカメラ５１８７及び術場カメラ５１８９は、手術中に表示すべき情報（以下、表示情報ともいう）を発信する機能を有する装置（以下、発信元の装置とも呼称する）であり得る。また、表示装置５１０３Ａ〜５１０３Ｄは、表示情報が出力される装置（以下、出力先の装置とも呼称する）であり得る。また、レコーダ５１０５は、発信元の装置及び出力先の装置の双方に該当する装置であり得る。視聴覚コントローラ５１０７は、発信元の装置及び出力先の装置の動作を制御し、発信元の装置から表示情報を取得するとともに、当該表示情報を出力先の装置に送信し、表示又は記録させる機能を有する。なお、表示情報とは、手術中に撮像された各種の画像や、手術に関する各種の情報（例えば、患者の身体情報や、過去の検査結果、術式についての情報等）等である。
【０３１５】
具体的には、視聴覚コントローラ５１０７には、装置群５１０１から、表示情報として、内視鏡によって撮像された患者の体腔内の術部の画像についての情報が送信され得る。また、シーリングカメラ５１８７から、表示情報として、当該シーリングカメラ５１８７によって撮像された術者の手元の画像についての情報が送信され得る。また、術場カメラ５１８９から、表示情報として、当該術場カメラ５１８９によって撮像された手術室全体の様子を示す画像についての情報が送信され得る。なお、手術室システム５１００に撮像機能を有する他の装置が存在する場合には、視聴覚コントローラ５１０７は、表示情報として、当該他の装置からも当該他の装置によって撮像された画像についての情報を取得してもよい。
【０３１６】
あるいは、例えば、レコーダ５１０５には、過去に撮像されたこれらの画像についての情報が視聴覚コントローラ５１０７によって記録されている。視聴覚コントローラ５１０７は、表示情報として、レコーダ５１０５から当該過去に撮像された画像についての情報を取得することができる。なお、レコーダ５１０５には、手術に関する各種の情報も事前に記録されていてもよい。
【０３１７】
視聴覚コントローラ５１０７は、出力先の装置である表示装置５１０３Ａ〜５１０３Ｄの少なくともいずれかに、取得した表示情報（すなわち、手術中に撮影された画像や、手術に関する各種の情報）を表示させる。図示する例では、表示装置５１０３Ａは手術室の天井から吊り下げられて設置される表示装置であり、表示装置５１０３Ｂは手術室の壁面に設置される表示装置であり、表示装置５１０３Ｃは手術室内の机上に設置される表示装置であり、表示装置５１０３Ｄは表示機能を有するモバイル機器（例えば、タブレットＰＣ（Personal  Computer））である。
【０３１８】
また、図１４では図示を省略しているが、手術室システム５１００には、手術室の外部の装置が含まれてもよい。手術室の外部の装置は、例えば、病院内外に構築されたネットワークに接続されるサーバや、医療スタッフが用いるＰＣ、病院の会議室に設置されるプロジェクタ等であり得る。このような外部装置が病院外にある場合には、視聴覚コントローラ５１０７は、遠隔医療のために、テレビ会議システム等を介して、他の病院の表示装置に表示情報を表示させることもできる。
【０３１９】
手術室制御装置５１０９は、非医療機器における画像表示に関する処理以外の処理を、統括的に制御する。例えば、手術室制御装置５１０９は、患者ベッド５１８３、シーリングカメラ５１８７、術場カメラ５１８９及び照明５１９１の駆動を制御する。
【０３２０】
手術室システム５１００には、集中操作パネル５１１１が設けられており、ユーザは、当該集中操作パネル５１１１を介して、視聴覚コントローラ５１０７に対して画像表示についての指示を与えたり、手術室制御装置５１０９に対して非医療機器の動作についての指示を与えることができる。集中操作パネル５１１１は、表示装置の表示面上にタッチパネルが設けられて構成される。
【０３２１】
図１５は、集中操作パネル５１１１における操作画面の表示例を示す図である。図１５では、一例として、手術室システム５１００に、出力先の装置として、２つの表示装置が設けられている場合に対応する操作画面を示している。図１５を参照すると、操作画面５１９３には、発信元選択領域５１９５と、プレビュー領域５１９７と、コントロール領域５２０１と、が設けられる。
【０３２２】
発信元選択領域５１９５には、手術室システム５１００に備えられる発信元装置と、当該発信元装置が有する表示情報を表すサムネイル画面と、が紐付けられて表示される。ユーザは、表示装置に表示させたい表示情報を、発信元選択領域５１９５に表示されているいずれかの発信元装置から選択することができる。
【０３２３】
プレビュー領域５１９７には、出力先の装置である２つの表示装置（Monitor1、Monitor2）に表示される画面のプレビューが表示される。図示する例では、１つの表示装置において４つの画像がＰｉｎＰ表示されている。当該４つの画像は、発信元選択領域５１９５において選択された発信元装置から発信された表示情報に対応するものである。４つの画像のうち、１つはメイン画像として比較的大きく表示され、残りの３つはサブ画像として比較的小さく表示される。ユーザは、４つの画像が表示された領域を適宜選択することにより、メイン画像とサブ画像を入れ替えることができる。また、４つの画像が表示される領域の下部には、ステータス表示領域５１９９が設けられており、当該領域に手術に関するステータス（例えば、手術の経過時間や、患者の身体情報等）が適宜表示され得る。
【０３２４】
コントロール領域５２０１には、発信元の装置に対して操作を行うためのＧＵＩ（Graphical  User  Interface）部品が表示される発信元操作領域５２０３と、出力先の装置に対して操作を行うためのＧＵＩ部品が表示される出力先操作領域５２０５と、が設けられる。図示する例では、発信元操作領域５２０３には、撮像機能を有する発信元の装置におけるカメラに対して各種の操作（パン、チルト及びズーム）を行うためのＧＵＩ部品が設けられている。ユーザは、これらのＧＵＩ部品を適宜選択することにより、発信元の装置におけるカメラの動作を操作することができる。なお、図示は省略しているが、発信元選択領域５１９５において選択されている発信元の装置がレコーダである場合（すなわち、プレビュー領域５１９７において、レコーダに過去に記録された画像が表示されている場合）には、発信元操作領域５２０３には、当該画像の再生、再生停止、巻き戻し、早送り等の操作を行うためのＧＵＩ部品が設けられ得る。
【０３２５】
また、出力先操作領域５２０５には、出力先の装置である表示装置における表示に対する各種の操作（スワップ、フリップ、色調整、コントラスト調整、２Ｄ表示と３Ｄ表示の切り替え）を行うためのＧＵＩ部品が設けられている。ユーザは、これらのＧＵＩ部品を適宜選択することにより、表示装置における表示を操作することができる。
【０３２６】
なお、集中操作パネル５１１１に表示される操作画面は図示する例に限定されず、ユーザは、集中操作パネル５１１１を介して、手術室システム５１００に備えられる、視聴覚コントローラ５１０７及び手術室制御装置５１０９によって制御され得る各装置に対する操作入力が可能であってよい。
【０３２７】
図１６は、以上説明した手術室システムが適用された手術の様子の一例を示す図である。シーリングカメラ５１８７及び術場カメラ５１８９は、手術室の天井に設けられ、患者ベッド５１８３上の患者５１８５の患部に対して処置を行う術者（医者）５１８１の手元及び手術室全体の様子を撮影可能である。シーリングカメラ５１８７及び術場カメラ５１８９には、倍率調整機能、焦点距離調整機能、撮影方向調整機能等が設けられ得る。照明５１９１は、手術室の天井に設けられ、少なくとも術者５１８１の手元を照射する。照明５１９１は、その照射光量、照射光の波長（色）及び光の照射方向等を適宜調整可能であってよい。
【０３２８】
内視鏡手術システム５１１３、患者ベッド５１８３、シーリングカメラ５１８７、術場カメラ５１８９及び照明５１９１は、図１４に示すように、視聴覚コントローラ５１０７及び手術室制御装置５１０９（図１６では図示せず）を介して互いに連携可能に接続されている。手術室内には、集中操作パネル５１１１が設けられており、上述したように、ユーザは、当該集中操作パネル５１１１を介して、手術室内に存在するこれらの装置を適宜操作することが可能である。
【０３２９】
以下、内視鏡手術システム５１１３の構成について詳細に説明する。図示するように、内視鏡手術システム５１１３は、内視鏡５１１５と、その他の術具５１３１と、内視鏡５１１５を支持する支持アーム装置５１４１と、内視鏡下手術のための各種の装置が搭載されたカート５１５１と、から構成される。
【０３３０】
内視鏡手術では、腹壁を切って開腹する代わりに、トロッカ５１３９ａ〜５１３９ｄと呼ばれる筒状の開孔器具が腹壁に複数穿刺される。そして、トロッカ５１３９ａ〜５１３９ｄから、内視鏡５１１５の鏡筒５１１７や、その他の術具５１３１が患者５１８５の体腔内に挿入される。図示する例では、その他の術具５１３１として、気腹チューブ５１３３、エネルギー処置具５１３５及び鉗子５１３７が、患者５１８５の体腔内に挿入されている。また、エネルギー処置具５１３５は、高周波電流や超音波振動により、組織の切開及び剥離、又は血管の封止等を行う処置具である。ただし、図示する術具５１３１はあくまで一例であり、術具５１３１としては、例えば攝子、レトラクタ等、一般的に内視鏡下手術において用いられる各種の術具が用いられてよい。
【０３３１】
内視鏡５１１５によって撮影された患者５１８５の体腔内の術部の画像が、表示装置５１５５に表示される。術者５１８１は、表示装置５１５５に表示された術部の画像をリアルタイムで見ながら、エネルギー処置具５１３５や鉗子５１３７を用いて、例えば患部を切除する等の処置を行う。なお、図示は省略しているが、気腹チューブ５１３３、エネルギー処置具５１３５及び鉗子５１３７は、手術中に、術者５１８１又は助手等によって支持される。
【０３３２】
（支持アーム装置）
支持アーム装置５１４１は、ベース部５１４３から延伸するアーム部５１４５を備える。図示する例では、アーム部５１４５は、関節部５１４７ａ、５１４７ｂ、５１４７ｃ、及びリンク５１４９ａ、５１４９ｂから構成されており、アーム制御装置５１５９からの制御により駆動される。アーム部５１４５によって内視鏡５１１５が支持され、その位置及び姿勢が制御される。これにより、内視鏡５１１５の安定的な位置の固定が実現され得る。
【０３３３】
（内視鏡）
内視鏡５１１５は、先端から所定の長さの領域が患者５１８５の体腔内に挿入される鏡筒５１１７と、鏡筒５１１７の基端に接続されるカメラヘッド５１１９と、から構成される。図示する例では、硬性の鏡筒５１１７を有するいわゆる硬性鏡として構成される内視鏡５１１５を図示しているが、内視鏡５１１５は、軟性の鏡筒５１１７を有するいわゆる軟性鏡として構成されてもよい。
【０３３４】
鏡筒５１１７の先端には、対物レンズが嵌め込まれた開口部が設けられている。内視鏡５１１５には光源装置５１５７が接続されており、当該光源装置５１５７によって生成された光が、鏡筒５１１７の内部に延設されるライトガイドによって当該鏡筒の先端まで導光され、対物レンズを介して患者５１８５の体腔内の観察対象に向かって照射される。なお、内視鏡５１１５は、直視鏡であってもよいし、斜視鏡又は側視鏡であってもよい。
【０３３５】
カメラヘッド５１１９の内部には光学系及び撮像素子が設けられており、観察対象からの反射光（観察光）は当該光学系によって当該撮像素子に集光される。当該撮像素子によって観察光が光電変換され、観察光に対応する電気信号、すなわち観察像に対応する画像信号が生成される。当該画像信号は、ＲＡＷデータとしてカメラコントロールユニット（ＣＣＵ：Camera  Control  Unit）５１５３に送信される。なお、カメラヘッド５１１９には、その光学系を適宜駆動させることにより、倍率及び焦点距離を調整する機能が搭載される。
【０３３６】
なお、例えば立体視（３Ｄ表示）等に対応するために、カメラヘッド５１１９には撮像素子が複数設けられてもよい。この場合、鏡筒５１１７の内部には、当該複数の撮像素子のそれぞれに観察光を導光するために、リレー光学系が複数系統設けられる。
【０３３７】
（カートに搭載される各種の装置）
ＣＣＵ５１５３は、ＣＰＵ（Central  Processing  Unit）やＧＰＵ（Graphics  Processing  Unit）等によって構成され、内視鏡５１１５及び表示装置５１５５の動作を統括的に制御する。具体的には、ＣＣＵ５１５３は、カメラヘッド５１１９から受け取った画像信号に対して、例えば現像処理（デモザイク処理）等の、当該画像信号に基づく画像を表示するための各種の画像処理を施す。ＣＣＵ５１５３は、当該画像処理を施した画像信号を表示装置５１５５に提供する。また、ＣＣＵ５１５３には、図１４に示す視聴覚コントローラ５１０７が接続される。ＣＣＵ５１５３は、画像処理を施した画像信号を視聴覚コントローラ５１０７にも提供する。また、ＣＣＵ５１５３は、カメラヘッド５１１９に対して制御信号を送信し、その駆動を制御する。当該制御信号には、倍率や焦点距離等、撮像条件に関する情報が含まれ得る。当該撮像条件に関する情報は、入力装置５１６１を介して入力されてもよいし、上述した集中操作パネル５１１１を介して入力されてもよい。
【０３３８】
表示装置５１５５は、ＣＣＵ５１５３からの制御により、当該ＣＣＵ５１５３によって画像処理が施された画像信号に基づく画像を表示する。内視鏡５１１５が例えば４Ｋ（水平画素数３８４０×垂直画素数２１６０）又は８Ｋ（水平画素数７６８０×垂直画素数４３２０）等の高解像度の撮影に対応したものである場合、及び／又は３Ｄ表示に対応したものである場合には、表示装置５１５５としては、それぞれに対応して、高解像度の表示が可能なもの、及び／又は３Ｄ表示可能なものが用いられ得る。４Ｋ又は８Ｋ等の高解像度の撮影に対応したものである場合、表示装置５１５５として５５インチ以上のサイズのものを用いることで一層の没入感が得られる。また、用途に応じて、解像度、サイズが異なる複数の表示装置５１５５が設けられてもよい。
【０３３９】
光源装置５１５７は、例えばＬＥＤ（light  emitting  diode）等の光源から構成され、術部を撮影する際の照射光を内視鏡５１１５に供給する。
【０３４０】
アーム制御装置５１５９は、例えばＣＰＵ等のプロセッサによって構成され、所定のプログラムに従って動作することにより、所定の制御方式に従って支持アーム装置５１４１のアーム部５１４５の駆動を制御する。
【０３４１】
入力装置５１６１は、内視鏡手術システム５１１３に対する入力インタフェースである。ユーザは、入力装置５１６１を介して、内視鏡手術システム５１１３に対して各種の情報の入力や指示入力を行うことができる。例えば、ユーザは、入力装置５１６１を介して、患者の身体情報や、手術の術式についての情報等、手術に関する各種の情報を入力する。また、例えば、ユーザは、入力装置５１６１を介して、アーム部５１４５を駆動させる旨の指示や、内視鏡５１１５による撮像条件（照射光の種類、倍率及び焦点距離等）を変更する旨の指示、エネルギー処置具５１３５を駆動させる旨の指示等を入力する。
【０３４２】
入力装置５１６１の種類は限定されず、入力装置５１６１は各種の公知の入力装置であってよい。入力装置５１６１としては、例えば、マウス、キーボード、タッチパネル、スイッチ、フットスイッチ５１７１及び／又はレバー等が適用され得る。入力装置５１６１としてタッチパネルが用いられる場合には、当該タッチパネルは表示装置５１５５の表示面上に設けられてもよい。
【０３４３】
あるいは、入力装置５１６１は、例えばメガネ型のウェアラブルデバイスやＨＭＤ（Head  Mounted  Display）等の、ユーザによって装着されるデバイスであり、これらのデバイスによって検出されるユーザのジェスチャや視線に応じて各種の入力が行われる。また、入力装置５１６１は、ユーザの動きを検出可能なカメラを含み、当該カメラによって撮像された映像から検出されるユーザのジェスチャや視線に応じて各種の入力が行われる。更に、入力装置５１６１は、ユーザの声を収音可能なマイクロフォンを含み、当該マイクロフォンを介して音声によって各種の入力が行われる。このように、入力装置５１６１が非接触で各種の情報を入力可能に構成されることにより、特に清潔域に属するユーザ（例えば術者５１８１）が、不潔域に属する機器を非接触で操作することが可能となる。また、ユーザは、所持している術具から手を離すことなく機器を操作することが可能となるため、ユーザの利便性が向上する。
【０３４４】
処置具制御装置５１６３は、組織の焼灼、切開又は血管の封止等のためのエネルギー処置具５１３５の駆動を制御する。気腹装置５１６５は、内視鏡５１１５による視野の確保及び術者の作業空間の確保の目的で、患者５１８５の体腔を膨らめるために、気腹チューブ５１３３を介して当該体腔内にガスを送り込む。レコーダ５１６７は、手術に関する各種の情報を記録可能な装置である。プリンタ５１６９は、手術に関する各種の情報を、テキスト、画像又はグラフ等各種の形式で印刷可能な装置である。
【０３４５】
以下、内視鏡手術システム５１１３において特に特徴的な構成について、更に詳細に説明する。
【０３４６】
（支持アーム装置）
支持アーム装置５１４１は、基台であるベース部５１４３と、ベース部５１４３から延伸するアーム部５１４５と、を備える。図示する例では、アーム部５１４５は、複数の関節部５１４７ａ、５１４７ｂ、５１４７ｃと、関節部５１４７ｂによって連結される複数のリンク５１４９ａ、５１４９ｂと、から構成されているが、図１６では、簡単のため、アーム部５１４５の構成を簡略化して図示している。実際には、アーム部５１４５が所望の自由度を有するように、関節部５１４７ａ〜５１４７ｃ及びリンク５１４９ａ、５１４９ｂの形状、数及び配置、並びに関節部５１４７ａ〜５１４７ｃの回転軸の方向等が適宜設定され得る。例えば、アーム部５１４５は、好適に、６自由度以上の自由度を有するように構成され得る。これにより、アーム部５１４５の可動範囲内において内視鏡５１１５を自由に移動させることが可能になるため、所望の方向から内視鏡５１１５の鏡筒５１１７を患者５１８５の体腔内に挿入することが可能になる。
【０３４７】
関節部５１４７ａ〜５１４７ｃにはアクチュエータが設けられており、関節部５１４７ａ〜５１４７ｃは当該アクチュエータの駆動により所定の回転軸まわりに回転可能に構成されている。当該アクチュエータの駆動がアーム制御装置５１５９によって制御されることにより、各関節部５１４７ａ〜５１４７ｃの回転角度が制御され、アーム部５１４５の駆動が制御される。これにより、内視鏡５１１５の位置及び姿勢の制御が実現され得る。この際、アーム制御装置５１５９は、力制御又は位置制御等、各種の公知の制御方式によってアーム部５１４５の駆動を制御することができる。
【０３４８】
例えば、術者５１８１が、入力装置５１６１（フットスイッチ５１７１を含む）を介して適宜操作入力を行うことにより、当該操作入力に応じてアーム制御装置５１５９によってアーム部５１４５の駆動が適宜制御され、内視鏡５１１５の位置及び姿勢が制御されてよい。当該制御により、アーム部５１４５の先端の内視鏡５１１５を任意の位置から任意の位置まで移動させた後、その移動後の位置で固定的に支持することができる。なお、アーム部５１４５は、いわゆるマスタースレイブ方式で操作されてもよい。この場合、アーム部５１４５は、手術室から離れた場所に設置される入力装置５１６１を介してユーザによって遠隔操作され得る。
【０３４９】
また、力制御が適用される場合には、アーム制御装置５１５９は、ユーザからの外力を受け、その外力にならってスムーズにアーム部５１４５が移動するように、各関節部５１４７ａ〜５１４７ｃのアクチュエータを駆動させる、いわゆるパワーアシスト制御を行ってもよい。これにより、ユーザが直接アーム部５１４５に触れながらアーム部５１４５を移動させる際に、比較的軽い力で当該アーム部５１４５を移動させることができる。従って、より直感的に、より簡易な操作で内視鏡５１１５を移動させることが可能となり、ユーザの利便性を向上させることができる。
【０３５０】
ここで、一般的に、内視鏡下手術では、スコピストと呼ばれる医師によって内視鏡５１１５が支持されていた。これに対して、支持アーム装置５１４１を用いることにより、人手によらずに内視鏡５１１５の位置をより確実に固定することが可能になるため、術部の画像を安定的に得ることができ、手術を円滑に行うことが可能になる。
【０３５１】
なお、アーム制御装置５１５９は必ずしもカート５１５１に設けられなくてもよい。また、アーム制御装置５１５９は必ずしも１つの装置でなくてもよい。例えば、アーム制御装置５１５９は、支持アーム装置５１４１のアーム部５１４５の各関節部５１４７ａ〜５１４７ｃにそれぞれ設けられてもよく、複数のアーム制御装置５１５９が互いに協働することにより、アーム部５１４５の駆動制御が実現されてもよい。
【０３５２】
（光源装置）
光源装置５１５７は、内視鏡５１１５に術部を撮影する際の照射光を供給する。光源装置５１５７は、例えばＬＥＤ、レーザ光源又はこれらの組み合わせによって構成される白色光源から構成される。このとき、ＲＧＢレーザ光源の組み合わせにより白色光源が構成される場合には、各色（各波長）の出力強度及び出力タイミングを高精度に制御することができるため、光源装置５１５７において撮像画像のホワイトバランスの調整を行うことができる。また、この場合には、ＲＧＢレーザ光源それぞれからのレーザ光を時分割で観察対象に照射し、その照射タイミングに同期してカメラヘッド５１１９の撮像素子の駆動を制御することにより、ＲＧＢそれぞれに対応した画像を時分割で撮像することも可能である。当該方法によれば、当該撮像素子にカラーフィルタを設けなくても、カラー画像を得ることができる。
【０３５３】
また、光源装置５１５７は、出力する光の強度を所定の時間ごとに変更するようにその駆動が制御されてもよい。その光の強度の変更のタイミングに同期してカメラヘッド５１１９の撮像素子の駆動を制御して時分割で画像を取得し、その画像を合成することにより、いわゆる黒つぶれ及び白とびのない高ダイナミックレンジの画像を生成することができる。
【０３５４】
また、光源装置５１５７は、特殊光観察に対応した所定の波長帯域の光を供給可能に構成されてもよい。特殊光観察では、例えば、体組織における光の吸収の波長依存性を利用して、通常の観察時における照射光（すなわち、白色光）に比べて狭帯域の光を照射することにより、粘膜表層の血管等の所定の組織を高コントラストで撮影する、いわゆる狭帯域光観察（Narrow  Band  Imaging）が行われる。あるいは、特殊光観察では、励起光を照射することにより発生する蛍光により画像を得る蛍光観察が行われてもよい。蛍光観察では、体組織に励起光を照射し当該体組織からの蛍光を観察するもの（自家蛍光観察）、又はインドシアニングリーン（ICG）等の試薬を体組織に局注するとともに当該体組織にその試薬の蛍光波長に対応した励起光を照射し蛍光像を得るもの等が行われ得る。光源装置５１５７は、このような特殊光観察に対応した狭帯域光及び／又は励起光を供給可能に構成され得る。
【０３５５】
（カメラヘッド及びＣＣＵ）
図１７を参照して、内視鏡５１１５のカメラヘッド５１１９及びＣＣＵ５１５３の機能についてより詳細に説明する。図１７は、図１６に示すカメラヘッド５１１９及びＣＣＵ５１５３の機能構成の一例を示すブロック図である。
【０３５６】
図１７を参照すると、カメラヘッド５１１９は、その機能として、レンズユニット５１２１と、撮像部５１２３と、駆動部５１２５と、通信部５１２７と、カメラヘッド制御部５１２９と、を有する。また、ＣＣＵ５１５３は、その機能として、通信部５１７３と、画像処理部５１７５と、制御部５１７７と、を有する。カメラヘッド５１１９とＣＣＵ５１５３とは、伝送ケーブル５１７９によって双方向に通信可能に接続されている。
【０３５７】
まず、カメラヘッド５１１９の機能構成について説明する。レンズユニット５１２１は、鏡筒５１１７との接続部に設けられる光学系である。鏡筒５１１７の先端から取り込まれた観察光は、カメラヘッド５１１９まで導光され、当該レンズユニット５１２１に入射する。レンズユニット５１２１は、ズームレンズ及びフォーカスレンズを含む複数のレンズが組み合わされて構成される。レンズユニット５１２１は、撮像部５１２３の撮像素子の受光面上に観察光を集光するように、その光学特性が調整されている。また、ズームレンズ及びフォーカスレンズは、撮像画像の倍率及び焦点の調整のため、その光軸上の位置が移動可能に構成される。
【０３５８】
撮像部５１２３は撮像素子によって構成され、レンズユニット５１２１の後段に配置される。レンズユニット５１２１を通過した観察光は、当該撮像素子の受光面に集光され、光電変換によって、観察像に対応した画像信号が生成される。撮像部５１２３によって生成された画像信号は、通信部５１２７に提供される。
【０３５９】
撮像部５１２３を構成する撮像素子としては、例えばＣＭＯＳ（Complementary  Metal  Oxide  Semiconductor）タイプのイメージセンサであり、Ｂａｙｅｒ配列を有するカラー撮影可能なものが用いられる。なお、当該撮像素子としては、例えば４Ｋ以上の高解像度の画像の撮影に対応可能なものが用いられてもよい。術部の画像が高解像度で得られることにより、術者５１８１は、当該術部の様子をより詳細に把握することができ、手術をより円滑に進行することが可能となる。
【０３６０】
また、撮像部５１２３を構成する撮像素子は、３Ｄ表示に対応する右目用及び左目用の画像信号をそれぞれ取得するための１対の撮像素子を有するように構成される。３Ｄ表示が行われることにより、術者５１８１は術部における生体組織の奥行きをより正確に把握することが可能になる。なお、撮像部５１２３が多板式で構成される場合には、各撮像素子に対応して、レンズユニット５１２１も複数系統設けられる。
【０３６１】
また、撮像部５１２３は、必ずしもカメラヘッド５１１９に設けられなくてもよい。例えば、撮像部５１２３は、鏡筒５１１７の内部に、対物レンズの直後に設けられてもよい。
【０３６２】
駆動部５１２５は、アクチュエータによって構成され、カメラヘッド制御部５１２９からの制御により、レンズユニット５１２１のズームレンズ及びフォーカスレンズを光軸に沿って所定の距離だけ移動させる。これにより、撮像部５１２３による撮像画像の倍率及び焦点が適宜調整され得る。
【０３６３】
通信部５１２７は、ＣＣＵ５１５３との間で各種の情報を送受信するための通信装置によって構成される。通信部５１２７は、撮像部５１２３から得た画像信号をＲＡＷデータとして伝送ケーブル５１７９を介してＣＣＵ５１５３に送信する。この際、術部の撮像画像を低レイテンシで表示するために、当該画像信号は光通信によって送信されることが好ましい。手術の際には、術者５１８１が撮像画像によって患部の状態を観察しながら手術を行うため、より安全で確実な手術のためには、術部の動画像が可能な限りリアルタイムに表示されることが求められるからである。光通信が行われる場合には、通信部５１２７には、電気信号を光信号に変換する光電変換モジュールが設けられる。画像信号は当該光電変換モジュールによって光信号に変換された後、伝送ケーブル５１７９を介してＣＣＵ５１５３に送信される。
【０３６４】
また、通信部５１２７は、ＣＣＵ５１５３から、カメラヘッド５１１９の駆動を制御するための制御信号を受信する。当該制御信号には、例えば、撮像画像のフレームレートを指定する旨の情報、撮像時の露出値を指定する旨の情報、並びに／又は撮像画像の倍率及び焦点を指定する旨の情報等、撮像条件に関する情報が含まれる。通信部５１２７は、受信した制御信号をカメラヘッド制御部５１２９に提供する。なお、ＣＣＵ５１５３からの制御信号も、光通信によって伝送されてもよい。この場合、通信部５１２７には、光信号を電気信号に変換する光電変換モジュールが設けられ、制御信号は当該光電変換モジュールによって電気信号に変換された後、カメラヘッド制御部５１２９に提供される。
【０３６５】
なお、上記のフレームレートや露出値、倍率、焦点等の撮像条件は、取得された画像信号に基づいてＣＣＵ５１５３の制御部５１７７によって自動的に設定される。つまり、いわゆるＡＥ（Auto  Exposure）機能、ＡＦ（Auto  Focus）機能及びＡＷＢ（Auto  White  Balance）機能が内視鏡５１１５に搭載される。
【０３６６】
カメラヘッド制御部５１２９は、通信部５１２７を介して受信したＣＣＵ５１５３からの制御信号に基づいて、カメラヘッド５１１９の駆動を制御する。例えば、カメラヘッド制御部５１２９は、撮像画像のフレームレートを指定する旨の情報及び／又は撮像時の露光を指定する旨の情報に基づいて、撮像部５１２３の撮像素子の駆動を制御する。また、例えば、カメラヘッド制御部５１２９は、撮像画像の倍率及び焦点を指定する旨の情報に基づいて、駆動部５１２５を介してレンズユニット５１２１のズームレンズ及びフォーカスレンズを適宜移動させる。カメラヘッド制御部５１２９は、更に、鏡筒５１１７やカメラヘッド５１１９を識別するための情報を記憶する機能を備えてもよい。
【０３６７】
なお、レンズユニット５１２１や撮像部５１２３等の構成を、気密性及び防水性が高い密閉構造内に配置することで、カメラヘッド５１１９について、オートクレーブ滅菌処理に対する耐性を持たせることができる。
【０３６８】
次に、ＣＣＵ５１５３の機能構成について説明する。通信部５１７３は、カメラヘッド５１１９との間で各種の情報を送受信するための通信装置によって構成される。通信部５１７３は、カメラヘッド５１１９から、伝送ケーブル５１７９を介して送信される画像信号を受信する。この際、上記のように、当該画像信号は好適に光通信によって送信され得る。この場合、光通信に対応して、通信部５１７３には、光信号を電気信号に変換する光電変換モジュールが設けられる。通信部５１７３は、電気信号に変換した画像信号を画像処理部５１７５に提供する。
【０３６９】
また、通信部５１７３は、カメラヘッド５１１９に対して、カメラヘッド５１１９の駆動を制御するための制御信号を送信する。当該制御信号も光通信によって送信されてよい。
【０３７０】
画像処理部５１７５は、カメラヘッド５１１９から送信されたＲＡＷデータである画像信号に対して各種の画像処理を施す。当該画像処理としては、例えば現像処理、高画質化処理（帯域強調処理、超解像処理、ＮＲ（Noise  reduction）処理及び／又は手ブレ補正処理等）、並びに／又は拡大処理（電子ズーム処理）等、各種の公知の信号処理が含まれる。また、画像処理部５１７５は、ＡＥ、ＡＦ及びＡＷＢを行うための、画像信号に対する検波処理を行う。
【０３７１】
画像処理部５１７５は、ＣＰＵやＧＰＵ等のプロセッサによって構成され、当該プロセッサが所定のプログラムに従って動作することにより、上述した画像処理や検波処理が行われ得る。なお、画像処理部５１７５が複数のＧＰＵによって構成される場合には、画像処理部５１７５は、画像信号に係る情報を適宜分割し、これら複数のＧＰＵによって並列的に画像処理を行う。
【０３７２】
制御部５１７７は、内視鏡５１１５による術部の撮像、及びその撮像画像の表示に関する各種の制御を行う。例えば、制御部５１７７は、カメラヘッド５１１９の駆動を制御するための制御信号を生成する。この際、撮像条件がユーザによって入力されている場合には、制御部５１７７は、当該ユーザによる入力に基づいて制御信号を生成する。あるいは、内視鏡５１１５にＡＥ機能、ＡＦ機能及びＡＷＢ機能が搭載されている場合には、制御部５１７７は、画像処理部５１７５による検波処理の結果に応じて、最適な露出値、焦点距離及びホワイトバランスを適宜算出し、制御信号を生成する。
【０３７３】
また、制御部５１７７は、画像処理部５１７５によって画像処理が施された画像信号に基づいて、術部の画像を表示装置５１５５に表示させる。この際、制御部５１７７は、各種の画像認識技術を用いて術部画像内における各種の物体を認識する。例えば、制御部５１７７は、術部画像に含まれる物体のエッジの形状や色等を検出することにより、鉗子等の術具、特定の生体部位、出血、エネルギー処置具５１３５使用時のミスト等を認識することができる。制御部５１７７は、表示装置５１５５に術部の画像を表示させる際に、その認識結果を用いて、各種の手術支援情報を当該術部の画像に重畳表示させる。手術支援情報が重畳表示され、術者５１８１に提示されることにより、より安全かつ確実に手術を進めることが可能になる。
【０３７４】
カメラヘッド５１１９及びＣＣＵ５１５３を接続する伝送ケーブル５１７９は、電気信号の通信に対応した電気信号ケーブル、光通信に対応した光ファイバ、又はこれらの複合ケーブルである。
【０３７５】
ここで、図示する例では、伝送ケーブル５１７９を用いて有線で通信が行われていたが、カメラヘッド５１１９とＣＣＵ５１５３との間の通信は無線で行われてもよい。両者の間の通信が無線で行われる場合には、伝送ケーブル５１７９を手術室内に敷設する必要がなくなるため、手術室内における医療スタッフの移動が当該伝送ケーブル５１７９によって妨げられる事態が解消され得る。
【０３７６】
以上、本開示に係る技術が適用され得る手術室システム５１００の一例について説明した。なお、ここでは、一例として手術室システム５１００が適用される医療用システムが内視鏡手術システム５１１３である場合について説明したが、手術室システム５１００の構成はかかる例に限定されない。例えば、手術室システム５１００は、内視鏡手術システム５１１３に代えて、検査用軟性内視鏡システムや顕微鏡手術システムに適用されてもよい。
【０３７７】
本開示に係る技術は、以上説明した構成のうちの例えば視聴覚コントローラ５１０７や集中操作パネル５１１１に好適に適用され得る。
【０３７８】
具体的には、集中操作パネル５１１１には操作画面５１９３が表示され、その操作画面５１９３にはメニュー画面（メニューページ）としての発信元操作領域５２０３や出力先操作領域５２０５が表示される。そして、それらの発信元操作領域５２０３や出力先操作領域５２０５には、メニュー項目としてのＧＵＩ部品が設けられている。
【０３７９】
発信元操作領域５２０３や出力先操作領域５２０５上のＧＵＩ部品について、以上において説明した本技術を適用し、それらのＧＵＩ部品（メニュー項目）の追加や削除、並び替え（配置位置の移動）等を行うようにすれば、術者（医師）ごとに発信元操作領域５２０３や出力先操作領域５２０５をカスタマイズすることができ、使い勝手を向上させることができる。
【０３８０】
なお、本技術は集中操作パネル５１１１に限らず、表示装置５１０３Ａ乃至表示装置５１０３Ｄに表示される各種のメニュー画面に対しても適用可能である。手術室システム５１００に限らず、医療用のＯＲシステムでは、例えばユーザである医師（術者）ごとにメニュー画面（メニューページ）のメニュー項目を追加したり編集したりする機能（プリセット機能）が設けられているため、本技術をそのようなメニュー画面の設定に適用することで、使い勝手を向上させることができる。
【０３８１】
また、本開示に係る技術は、以上説明した構成のうちの例えば内視鏡５１１５、ＣＣＵ５１５３、および表示装置５１５５にも好適に適用され得る。
【０３８２】
例えばＣＣＵ５１５３の制御部５１７７が、内視鏡５１１５による撮影等に関するメニュー画面、すなわちユーザインターフェースを生成して表示装置５１５５に表示させる場合に本技術を適用することができる。この場合、メニュー画面（メニューページ）におけるメニュー項目の追加や削除、並び替え等を行うようにすれば、術者（医師）ごとにメニュー画面をカスタマイズすることができ、使い勝手を向上させることができる。
【０３８３】
その他、例えば手術室システム５１００において使用される各種のメニュー画面について、ユーザである医師ごとにメニュー画面の設定情報、つまり表示させるメニュー項目やメニュー項目の表示位置等をユーザを示すユーザ情報と対応付けておくようにしてもよい。これにより、ユーザに応じて予め定めておいたメニュー画面の設定情報を呼び出したり、ユーザごとのメニュー画面を表示させたり、メニュー画面に関する機能変更を行ったりすることができる。このような設定情報は上述のマイメニューページ情報に対応する。
【０３８４】
この場合、例えば視聴覚コントローラ５１０７がサーバに対してユーザ情報を送信し、その送信に応じてサーバから設定情報を受信して、設定情報に応じたメニュー画面を集中操作パネル５１１１や表示装置５１０３Ａ乃至表示装置５１０３Ｄ、表示装置５１５５などに表示させるようにすればよい。また、視聴覚コントローラ５１０７がサーバ等からユーザ情報を取得し、そのユーザ情報に対応する設定情報をレコーダ５１０５等から読み出して、設定情報に応じたメニュー画面を集中操作パネル５１１１や表示装置５１０３Ａ乃至表示装置５１０３Ｄ、表示装置５１５５などに表示させるようにしてもよい。
【０３８５】
このようにすることで、手術開始時や手術中等に設定情報に応じて、適切にメニュー画面の表示を変更することができる。その結果、手術中の術者である医師の変更等にも対応することができ、使い勝手を向上させることができる。
【０３８６】
＜応用例２＞
さらに、例えば本開示に係る技術は、自動車、電気自動車、ハイブリッド電気自動車、自動二輪車、自転車、パーソナルモビリティ、飛行機、ドローン、船舶、ロボット、建設機械、農業機械（トラクター）などのいずれかの種類の移動体に搭載される装置として実現されてもよい。
【０３８７】
図１８は、本開示に係る技術が適用され得る移動体制御システムの一例である車両制御システム７０００の概略的な構成例を示すブロック図である。車両制御システム７０００は、通信ネットワーク７０１０を介して接続された複数の電子制御ユニットを備える。図１８に示した例では、車両制御システム７０００は、駆動系制御ユニット７１００、ボディ系制御ユニット７２００、バッテリ制御ユニット７３００、車外情報検出ユニット７４００、車内情報検出ユニット７５００、及び統合制御ユニット７６００を備える。これらの複数の制御ユニットを接続する通信ネットワーク７０１０は、例えば、ＣＡＮ（Controller  Area  Network）、ＬＩＮ（Local  Interconnect  Network）、ＬＡＮ（Local  Area  Network）又はＦｌｅｘＲａｙ（登録商標）等の任意の規格に準拠した車載通信ネットワークであってよい。
【０３８８】
各制御ユニットは、各種プログラムにしたがって演算処理を行うマイクロコンピュータと、マイクロコンピュータにより実行されるプログラム又は各種演算に用いられるパラメータ等を記憶する記憶部と、各種制御対象の装置を駆動する駆動回路とを備える。各制御ユニットは、通信ネットワーク７０１０を介して他の制御ユニットとの間で通信を行うためのネットワークＩ／Ｆを備えるとともに、車内外の装置又はセンサ等との間で、有線通信又は無線通信により通信を行うための通信Ｉ／Ｆを備える。図１８では、統合制御ユニット７６００の機能構成として、マイクロコンピュータ７６１０、汎用通信Ｉ／Ｆ７６２０、専用通信Ｉ／Ｆ７６３０、測位部７６４０、ビーコン受信部７６５０、車内機器Ｉ／Ｆ７６６０、音声画像出力部７６７０、車載ネットワークＩ／Ｆ７６８０及び記憶部７６９０が図示されている。他の制御ユニットも同様に、マイクロコンピュータ、通信Ｉ／Ｆ及び記憶部等を備える。
【０３８９】
駆動系制御ユニット７１００は、各種プログラムにしたがって車両の駆動系に関連する装置の動作を制御する。例えば、駆動系制御ユニット７１００は、内燃機関又は駆動用モータ等の車両の駆動力を発生させるための駆動力発生装置、駆動力を車輪に伝達するための駆動力伝達機構、車両の舵角を調節するステアリング機構、及び、車両の制動力を発生させる制動装置等の制御装置として機能する。駆動系制御ユニット７１００は、ＡＢＳ（Antilock  Brake  System）又はＥＳＣ（Electronic  Stability  Control）等の制御装置としての機能を有してもよい。
【０３９０】
駆動系制御ユニット７１００には、車両状態検出部７１１０が接続される。車両状態検出部７１１０には、例えば、車体の軸回転運動の角速度を検出するジャイロセンサ、車両の加速度を検出する加速度センサ、あるいは、アクセルペダルの操作量、ブレーキペダルの操作量、ステアリングホイールの操舵角、エンジン回転数又は車輪の回転速度等を検出するためのセンサのうちの少なくとも一つが含まれる。駆動系制御ユニット７１００は、車両状態検出部７１１０から入力される信号を用いて演算処理を行い、内燃機関、駆動用モータ、電動パワーステアリング装置又はブレーキ装置等を制御する。
【０３９１】
ボディ系制御ユニット７２００は、各種プログラムにしたがって車体に装備された各種装置の動作を制御する。例えば、ボディ系制御ユニット７２００は、キーレスエントリシステム、スマートキーシステム、パワーウィンドウ装置、あるいは、ヘッドランプ、バックランプ、ブレーキランプ、ウィンカー又はフォグランプ等の各種ランプの制御装置として機能する。この場合、ボディ系制御ユニット７２００には、鍵を代替する携帯機から発信される電波又は各種スイッチの信号が入力され得る。ボディ系制御ユニット７２００は、これらの電波又は信号の入力を受け付け、車両のドアロック装置、パワーウィンドウ装置、ランプ等を制御する。
【０３９２】
バッテリ制御ユニット７３００は、各種プログラムにしたがって駆動用モータの電力供給源である二次電池７３１０を制御する。例えば、バッテリ制御ユニット７３００には、二次電池７３１０を備えたバッテリ装置から、バッテリ温度、バッテリ出力電圧又はバッテリの残存容量等の情報が入力される。バッテリ制御ユニット７３００は、これらの信号を用いて演算処理を行い、二次電池７３１０の温度調節制御又はバッテリ装置に備えられた冷却装置等の制御を行う。
【０３９３】
車外情報検出ユニット７４００は、車両制御システム７０００を搭載した車両の外部の情報を検出する。例えば、車外情報検出ユニット７４００には、撮像部７４１０及び車外情報検出部７４２０のうちの少なくとも一方が接続される。撮像部７４１０には、ＴｏＦ（Time  Of  Flight）カメラ、ステレオカメラ、単眼カメラ、赤外線カメラ及びその他のカメラのうちの少なくとも一つが含まれる。車外情報検出部７４２０には、例えば、現在の天候又は気象を検出するための環境センサ、あるいは、車両制御システム７０００を搭載した車両の周囲の他の車両、障害物又は歩行者等を検出するための周囲情報検出センサのうちの少なくとも一つが含まれる。
【０３９４】
環境センサは、例えば、雨天を検出する雨滴センサ、霧を検出する霧センサ、日照度合いを検出する日照センサ、及び降雪を検出する雪センサのうちの少なくとも一つであってよい。周囲情報検出センサは、超音波センサ、レーダ装置及びＬＩＤＡＲ（Light  Detection  and  Ranging、Laser  Imaging  Detection  and  Ranging）装置のうちの少なくとも一つであってよい。これらの撮像部７４１０及び車外情報検出部７４２０は、それぞれ独立したセンサないし装置として備えられてもよいし、複数のセンサないし装置が統合された装置として備えられてもよい。
【０３９５】
ここで、図１９は、撮像部７４１０及び車外情報検出部７４２０の設置位置の例を示す。撮像部７９１０，７９１２，７９１４，７９１６，７９１８は、例えば、車両７９００のフロントノーズ、サイドミラー、リアバンパ、バックドア及び車室内のフロントガラスの上部のうちの少なくとも一つの位置に設けられる。フロントノーズに備えられる撮像部７９１０及び車室内のフロントガラスの上部に備えられる撮像部７９１８は、主として車両７９００の前方の画像を取得する。サイドミラーに備えられる撮像部７９１２，７９１４は、主として車両７９００の側方の画像を取得する。リアバンパ又はバックドアに備えられる撮像部７９１６は、主として車両７９００の後方の画像を取得する。車室内のフロントガラスの上部に備えられる撮像部７９１８は、主として先行車両又は、歩行者、障害物、信号機、交通標識又は車線等の検出に用いられる。
【０３９６】
なお、図１９には、それぞれの撮像部７９１０，７９１２，７９１４，７９１６の撮影範囲の一例が示されている。撮像範囲ａは、フロントノーズに設けられた撮像部７９１０の撮像範囲を示し、撮像範囲ｂ，ｃは、それぞれサイドミラーに設けられた撮像部７９１２，７９１４の撮像範囲を示し、撮像範囲ｄは、リアバンパ又はバックドアに設けられた撮像部７９１６の撮像範囲を示す。例えば、撮像部７９１０，７９１２，７９１４，７９１６で撮像された画像データが重ね合わせられることにより、車両７９００を上方から見た俯瞰画像が得られる。
【０３９７】
車両７９００のフロント、リア、サイド、コーナ及び車室内のフロントガラスの上部に設けられる車外情報検出部７９２０，７９２２，７９２４，７９２６，７９２８，７９３０は、例えば超音波センサ又はレーダ装置であってよい。車両７９００のフロントノーズ、リアバンパ、バックドア及び車室内のフロントガラスの上部に設けられる車外情報検出部７９２０，７９２６，７９３０は、例えばＬＩＤＡＲ装置であってよい。これらの車外情報検出部７９２０〜７９３０は、主として先行車両、歩行者又は障害物等の検出に用いられる。
【０３９８】
図１８に戻って説明を続ける。車外情報検出ユニット７４００は、撮像部７４１０に車外の画像を撮像させるとともに、撮像された画像データを受信する。また、車外情報検出ユニット７４００は、接続されている車外情報検出部７４２０から検出情報を受信する。車外情報検出部７４２０が超音波センサ、レーダ装置又はＬＩＤＡＲ装置である場合には、車外情報検出ユニット７４００は、超音波又は電磁波等を発信させるとともに、受信された反射波の情報を受信する。車外情報検出ユニット７４００は、受信した情報に基づいて、人、車、障害物、標識又は路面上の文字等の物体検出処理又は距離検出処理を行ってもよい。車外情報検出ユニット７４００は、受信した情報に基づいて、降雨、霧又は路面状況等を認識する環境認識処理を行ってもよい。車外情報検出ユニット７４００は、受信した情報に基づいて、車外の物体までの距離を算出してもよい。
【０３９９】
また、車外情報検出ユニット７４００は、受信した画像データに基づいて、人、車、障害物、標識又は路面上の文字等を認識する画像認識処理又は距離検出処理を行ってもよい。車外情報検出ユニット７４００は、受信した画像データに対して歪補正又は位置合わせ等の処理を行うとともに、異なる撮像部７４１０により撮像された画像データを合成して、俯瞰画像又はパノラマ画像を生成してもよい。車外情報検出ユニット７４００は、異なる撮像部７４１０により撮像された画像データを用いて、視点変換処理を行ってもよい。
【０４００】
車内情報検出ユニット７５００は、車内の情報を検出する。車内情報検出ユニット７５００には、例えば、運転者の状態を検出する運転者状態検出部７５１０が接続される。運転者状態検出部７５１０は、運転者を撮像するカメラ、運転者の生体情報を検出する生体センサ又は車室内の音声を集音するマイク等を含んでもよい。生体センサは、例えば、座面又はステアリングホイール等に設けられ、座席に座った搭乗者又はステアリングホイールを握る運転者の生体情報を検出する。車内情報検出ユニット７５００は、運転者状態検出部７５１０から入力される検出情報に基づいて、運転者の疲労度合い又は集中度合いを算出してもよいし、運転者が居眠りをしていないかを判別してもよい。車内情報検出ユニット７５００は、集音された音声信号に対してノイズキャンセリング処理等の処理を行ってもよい。
【０４０１】
統合制御ユニット７６００は、各種プログラムにしたがって車両制御システム７０００内の動作全般を制御する。統合制御ユニット７６００には、入力部７８００が接続されている。入力部７８００は、例えば、タッチパネル、ボタン、マイクロフォン、スイッチ又はレバー等、搭乗者によって入力操作され得る装置によって実現される。統合制御ユニット７６００には、マイクロフォンにより入力される音声を音声認識することにより得たデータが入力されてもよい。入力部７８００は、例えば、赤外線又はその他の電波を利用したリモートコントロール装置であってもよいし、車両制御システム７０００の操作に対応した携帯電話又はＰＤＡ（Personal  Digital  Assistant）等の外部接続機器であってもよい。入力部７８００は、例えばカメラであってもよく、その場合搭乗者はジェスチャにより情報を入力することができる。あるいは、搭乗者が装着したウェアラブル装置の動きを検出することで得られたデータが入力されてもよい。さらに、入力部７８００は、例えば、上記の入力部７８００を用いて搭乗者等により入力された情報に基づいて入力信号を生成し、統合制御ユニット７６００に出力する入力制御回路などを含んでもよい。搭乗者等は、この入力部７８００を操作することにより、車両制御システム７０００に対して各種のデータを入力したり処理動作を指示したりする。
【０４０２】
記憶部７６９０は、マイクロコンピュータにより実行される各種プログラムを記憶するＲＯＭ（Read  Only  Memory）、及び各種パラメータ、演算結果又はセンサ値等を記憶するＲＡＭ（Random  Access  Memory）を含んでいてもよい。また、記憶部７６９０は、ＨＤＤ（Hard  Disc  Drive）等の磁気記憶デバイス、半導体記憶デバイス、光記憶デバイス又は光磁気記憶デバイス等によって実現してもよい。
【０４０３】
汎用通信Ｉ／Ｆ７６２０は、外部環境７７５０に存在する様々な機器との間の通信を仲介する汎用的な通信Ｉ／Ｆである。汎用通信Ｉ／Ｆ７６２０は、ＧＳＭ（登録商標）（Global  System  of  Mobile  communications）、ＷｉＭＡＸ（登録商標）、ＬＴＥ（登録商標）（Long  Term  Evolution）若しくはＬＴＥ−Ａ（LTE−Advanced）などのセルラー通信プロトコル、又は無線ＬＡＮ（Ｗｉ−Ｆｉ（登録商標）ともいう）、Ｂｌｕｅｔｏｏｔｈ（登録商標）などのその他の無線通信プロトコルを実装してよい。汎用通信Ｉ／Ｆ７６２０は、例えば、基地局又はアクセスポイントを介して、外部ネットワーク（例えば、インターネット、クラウドネットワーク又は事業者固有のネットワーク）上に存在する機器（例えば、アプリケーションサーバ又は制御サーバ）へ接続してもよい。また、汎用通信Ｉ／Ｆ７６２０は、例えばＰ２Ｐ（Peer  To  Peer）技術を用いて、車両の近傍に存在する端末（例えば、運転者、歩行者若しくは店舗の端末、又はＭＴＣ（Machine  Type  Communication）端末）と接続してもよい。
【０４０４】
専用通信Ｉ／Ｆ７６３０は、車両における使用を目的として策定された通信プロトコルをサポートする通信Ｉ／Ｆである。専用通信Ｉ／Ｆ７６３０は、例えば、下位レイヤのＩＥＥＥ８０２．１１ｐと上位レイヤのＩＥＥＥ１６０９との組合せであるＷＡＶＥ（Wireless  Access  in  Vehicle  Environment）、ＤＳＲＣ（Dedicated  Short  Range  Communications）、又はセルラー通信プロトコルといった標準プロトコルを実装してよい。専用通信Ｉ／Ｆ７６３０は、典型的には、車車間（Vehicle  to  Vehicle）通信、路車間（Vehicle  to  Infrastructure）通信、車両と家との間（Vehicle  to  Home）の通信及び歩車間（Vehicle  to  Pedestrian）通信のうちの１つ以上を含む概念であるＶ２Ｘ通信を遂行する。
【０４０５】
測位部７６４０は、例えば、ＧＮＳＳ（Global  Navigation  Satellite  System）衛星からのＧＮＳＳ信号（例えば、ＧＰＳ（Global  Positioning  System）衛星からのＧＰＳ信号）を受信して測位を実行し、車両の緯度、経度及び高度を含む位置情報を生成する。なお、測位部７６４０は、無線アクセスポイントとの信号の交換により現在位置を特定してもよく、又は測位機能を有する携帯電話、ＰＨＳ若しくはスマートフォンといった端末から位置情報を取得してもよい。
【０４０６】
ビーコン受信部７６５０は、例えば、道路上に設置された無線局等から発信される電波あるいは電磁波を受信し、現在位置、渋滞、通行止め又は所要時間等の情報を取得する。なお、ビーコン受信部７６５０の機能は、上述した専用通信Ｉ／Ｆ７６３０に含まれてもよい。
【０４０７】
車内機器Ｉ／Ｆ７６６０は、マイクロコンピュータ７６１０と車内に存在する様々な車内機器７７６０との間の接続を仲介する通信インタフェースである。車内機器Ｉ／Ｆ７６６０は、無線ＬＡＮ、Ｂｌｕｅｔｏｏｔｈ（登録商標）、ＮＦＣ（Near  Field  Communication）又はＷＵＳＢ（Wireless  USB）といった無線通信プロトコルを用いて無線接続を確立してもよい。また、車内機器Ｉ／Ｆ７６６０は、図示しない接続端子（及び、必要であればケーブル）を介して、ＵＳＢ（Universal  Serial  Bus）、ＨＤＭＩ（登録商標）（High-Definition  Multimedia  Interface、又はＭＨＬ（Mobile  High-definition  Link）等の有線接続を確立してもよい。車内機器７７６０は、例えば、搭乗者が有するモバイル機器若しくはウェアラブル機器、又は車両に搬入され若しくは取り付けられる情報機器のうちの少なくとも１つを含んでいてもよい。また、車内機器７７６０は、任意の目的地までの経路探索を行うナビゲーション装置を含んでいてもよい。車内機器Ｉ／Ｆ７６６０は、これらの車内機器７７６０との間で、制御信号又はデータ信号を交換する。
【０４０８】
車載ネットワークＩ／Ｆ７６８０は、マイクロコンピュータ７６１０と通信ネットワーク７０１０との間の通信を仲介するインタフェースである。車載ネットワークＩ／Ｆ７６８０は、通信ネットワーク７０１０によりサポートされる所定のプロトコルに則して、信号等を送受信する。
【０４０９】
統合制御ユニット７６００のマイクロコンピュータ７６１０は、汎用通信Ｉ／Ｆ７６２０、専用通信Ｉ／Ｆ７６３０、測位部７６４０、ビーコン受信部７６５０、車内機器Ｉ／Ｆ７６６０及び車載ネットワークＩ／Ｆ７６８０のうちの少なくとも一つを介して取得される情報に基づき、各種プログラムにしたがって、車両制御システム７０００を制御する。例えば、マイクロコンピュータ７６１０は、取得される車内外の情報に基づいて、駆動力発生装置、ステアリング機構又は制動装置の制御目標値を演算し、駆動系制御ユニット７１００に対して制御指令を出力してもよい。例えば、マイクロコンピュータ７６１０は、車両の衝突回避あるいは衝撃緩和、車間距離に基づく追従走行、車速維持走行、車両の衝突警告、又は車両のレーン逸脱警告等を含むＡＤＡＳ（Advanced  Driver  Assistance  System）の機能実現を目的とした協調制御を行ってもよい。また、マイクロコンピュータ７６１０は、取得される車両の周囲の情報に基づいて駆動力発生装置、ステアリング機構又は制動装置等を制御することにより、運転者の操作に拠らずに自律的に走行する自動運転等を目的とした協調制御を行ってもよい。
【０４１０】
マイクロコンピュータ７６１０は、汎用通信Ｉ／Ｆ７６２０、専用通信Ｉ／Ｆ７６３０、測位部７６４０、ビーコン受信部７６５０、車内機器Ｉ／Ｆ７６６０及び車載ネットワークＩ／Ｆ７６８０のうちの少なくとも一つを介して取得される情報に基づき、車両と周辺の構造物や人物等の物体との間の３次元距離情報を生成し、車両の現在位置の周辺情報を含むローカル地図情報を作成してもよい。また、マイクロコンピュータ７６１０は、取得される情報に基づき、車両の衝突、歩行者等の近接又は通行止めの道路への進入等の危険を予測し、警告用信号を生成してもよい。警告用信号は、例えば、警告音を発生させたり、警告ランプを点灯させたりするための信号であってよい。
【０４１１】
音声画像出力部７６７０は、車両の搭乗者又は車外に対して、視覚的又は聴覚的に情報を通知することが可能な出力装置へ音声及び画像のうちの少なくとも一方の出力信号を送信する。図１８の例では、出力装置として、オーディオスピーカ７７１０、表示部７７２０及びインストルメントパネル７７３０が例示されている。表示部７７２０は、例えば、オンボードディスプレイ及びヘッドアップディスプレイの少なくとも一つを含んでいてもよい。表示部７７２０は、ＡＲ（Augmented  Reality）表示機能を有していてもよい。出力装置は、これらの装置以外の、ヘッドホン、搭乗者が装着する眼鏡型ディスプレイ等のウェアラブルデバイス、プロジェクタ又はランプ等の他の装置であってもよい。出力装置が表示装置の場合、表示装置は、マイクロコンピュータ７６１０が行った各種処理により得られた結果又は他の制御ユニットから受信された情報を、テキスト、イメージ、表、グラフ等、様々な形式で視覚的に表示する。また、出力装置が音声出力装置の場合、音声出力装置は、再生された音声データ又は音響データ等からなるオーディオ信号をアナログ信号に変換して聴覚的に出力する。
【０４１２】
なお、図１８に示した例において、通信ネットワーク７０１０を介して接続された少なくとも二つの制御ユニットが一つの制御ユニットとして一体化されてもよい。あるいは、個々の制御ユニットが、複数の制御ユニットにより構成されてもよい。さらに、車両制御システム７０００が、図示されていない別の制御ユニットを備えてもよい。また、上記の説明において、いずれかの制御ユニットが担う機能の一部又は全部を、他の制御ユニットに持たせてもよい。つまり、通信ネットワーク７０１０を介して情報の送受信がされるようになっていれば、所定の演算処理が、いずれかの制御ユニットで行われるようになってもよい。同様に、いずれかの制御ユニットに接続されているセンサ又は装置が、他の制御ユニットに接続されるとともに、複数の制御ユニットが、通信ネットワーク７０１０を介して相互に検出情報を送受信してもよい。
【０４１３】
本開示に係る技術は、以上説明した構成のうちの例えば統合制御ユニット７６００と表示部７７２０に適用することができる。この場合、統合制御ユニット７６００が図２の制御部５３に対応し、表示部７７２０が図２の表示部２５に対応する。
【０４１４】
例えば統合制御ユニット７６００が車両制御システム７０００に関するメニュー画面（メニューページ）を表示部７７２０に表示させる場合に本技術を適用し、メニュー画面（メニューページ）におけるメニュー項目の追加や削除、並び替え等を行うようにすれば、メニュー画面をカスタマイズし、使い勝手を向上させることができる。このとき、例えばメニュー画面に表示されるメニュー項目としては、例えば車室内の温度調整に関する項目、車両７９００の位置情報に関する項目、音楽の再生に関する項目、車両７９００の走行距離の表示に関する項目、電話の着信や応答などに関する項目等、様々なメニュー項目が考えられる。
【０４１５】
その他、車両７９００の運転者や同乗者に応じてメニュー項目の配置位置等を変えるなど、運転者や同乗者に応じたメニュー画面を表示させるようにしてもよい。
【０４１６】
特に、運転者や同乗者に応じたメニュー画面を表示させることは、メニュー項目として、ガソリン等の燃料情報に関する項目や、燃料の残量に関する項目、走行距離に関する項目、ナビゲーションに関する項目、オーディオに関する項目などのユーザ個人との関連性の高いメニュー項目があるときにより効果的である。
【０４１７】
このような場合、例えば運転者や同乗者等のユーザごとにメニュー画面の設定情報、つまり表示させるメニュー項目やメニュー項目の表示位置等をユーザを示すユーザ情報と対応付けておくようにすればよい。一例として、例えばカーシェアリングにおいて、統合制御ユニット７６００がシェアカーとしての車両７９００に乗車する利用者のユーザ情報を取得し、その利用者のユーザ情報に対応する設定情報を読み出して、設定情報に応じたメニュー画面を表示部７７２０に表示させることができる。
【０４１８】
さらに、本技術は、以下の構成とすることも可能である。
【０４１９】
（１）
メニュー項目が表示される１または複数のメニューページのなかから、前記メニュー項目に関する設定の操作を行う対象位置を選択するとともに、前記選択の決定が指示された場合、前記選択の決定に応じた設定処理を行う制御部を備える
情報処理装置。
（２）
前記制御部は、前記メニューページの少なくとも一部が含まれる、前記対象位置を選択するための選択画面を表示させ、前記選択画面に対するユーザの操作に応じて前記対象位置を選択する
（１）に記載の情報処理装置。
（３）
前記制御部は、複数の前記選択画面のうちの何れかが表示されるように、前記ユーザの操作に応じて前記選択画面の表示を切り替える
（２）に記載の情報処理装置。
（４）
前記制御部は、前記設定処理後、設定の操作を行う新たなメニュー項目または対象位置を選択するための画面を表示させる
（２）または（３）に記載の情報処理装置。
（５）
前記対象位置は、前記メニューページにおける新たな前記メニュー項目の追加先の位置である
（１）乃至（４）の何れか一項に記載の情報処理装置。
（６）
前記対象位置は、前記メニューページにおける前記メニュー項目の移動先の位置である
（１）乃至（４）の何れか一項に記載の情報処理装置。
（７）
前記制御部は、１または複数の前記メニューページから移動させる前記メニュー項目を選択した後、前記対象位置として、前記移動させる前記メニュー項目の移動先の位置を選択する
（６）に記載の情報処理装置。
（８）
前記対象位置は、前記メニューページにおける削除する前記メニュー項目の位置である
（１）乃至（４）の何れか一項に記載の情報処理装置。
（９）
前記メニュー項目に関する設定の操作は、前記メニュー項目の追加、前記メニュー項目の並べ替え、または前記メニュー項目の削除である
（１）乃至（８）の何れか一項に記載の情報処理装置。
（１０）
メニュー項目が表示される１または複数のメニューページのなかから、前記メニュー項目に関する設定の操作を行う対象位置を選択するとともに、前記選択の決定が指示された場合、前記選択の決定に応じた設定処理を行う
ステップを含む情報処理方法。
（１１）
メニュー項目が表示される１または複数のメニューページのなかから、前記メニュー項目に関する設定の操作を行う対象位置を選択するとともに、前記選択の決定が指示された場合、前記選択の決定に応じた設定処理を行う
ステップを含む処理をコンピュータに実行させるプログラム。
（１２）
メニューページに対する指定されたメニュー項目の追加または移動が指示された場合、
前記メニューページに表示される前記メニュー項目の数が表示可能な最大数未満であるとき、前記メニューページにおける指定された位置に前記指定された前記メニュー項目が追加または移動されるように前記メニューページを更新し、
前記メニューページに表示される前記メニュー項目の数が前記最大数であるとき、前記メニューページにおける指定された位置にある前記メニュー項目が、前記指定された前記メニュー項目に置き換えられるように前記メニューページを更新する
制御部を備える
情報処理装置。
（１３）
前記制御部は、前記メニューページの少なくとも一部が含まれる、前記指定された前記メニュー項目の追加先または移動先を選択するための選択画面を表示させ、前記選択画面に対するユーザの操作に応じて前記メニューページを更新する
（１２）に記載の情報処理装置。
（１４）
前記制御部は、前記メニューページに表示される前記メニュー項目の数が前記最大数未満であるか否かに応じて、前記指定された前記メニュー項目の追加先または移動先の位置を選択するための指示画像を異なる表示形式で前記選択画面上に表示させる
（１３）に記載の情報処理装置。
（１５）
前記制御部は、複数の前記選択画面のうちの何れかが表示されるように、前記ユーザの操作に応じて前記選択画面の表示を切り替える
（１３）または（１４）に記載の情報処理装置。
（１６）
メニューページに対する指定されたメニュー項目の追加または移動が指示された場合、
前記メニューページに表示される前記メニュー項目の数が表示可能な最大数未満であるとき、前記メニューページにおける指定された位置に前記指定された前記メニュー項目が追加または移動されるように前記メニューページを更新し、
前記メニューページに表示される前記メニュー項目の数が前記最大数であるとき、前記メニューページにおける指定された位置にある前記メニュー項目が、前記指定された前記メニュー項目に置き換えられるように前記メニューページを更新する
ステップを含む情報処理方法。
（１７）
メニューページに対する指定されたメニュー項目の追加または移動が指示された場合、
前記メニューページに表示される前記メニュー項目の数が表示可能な最大数未満であるとき、前記メニューページにおける指定された位置に前記指定された前記メニュー項目が追加または移動されるように前記メニューページを更新し、
前記メニューページに表示される前記メニュー項目の数が前記最大数であるとき、前記メニューページにおける指定された位置にある前記メニュー項目が、前記指定された前記メニュー項目に置き換えられるように前記メニューページを更新する
ステップを含む処理をコンピュータに実行させるプログラム。
（１８）
予め定められたメニュー項目が表示される既存メニューページと、ユーザにより選択された前記メニュー項目が表示されるマイメニューページと、前記マイメニューページに関する設定を行うための前記メニュー項目が表示されるマイメニュー設定ページとのうちの何れかが表示されるように表示を切り替える表示制御部と、
前記マイメニュー設定ページ上の前記メニュー項目の選択が決定された場合、選択が決定された前記メニュー項目に応じた設定処理を行う制御部と
を備える情報処理装置。
（１９）
前記マイメニューページには、前記マイメニューページに関する設定を行うための前記メニュー項目は表示されない
（１８）に記載の情報処理装置。
【符号の説明】
【０４２０】
１１  撮像装置，  ２５  表示部，  ５２  入力部，  ５３  制御部，  ６１  表示制御部，  ６２  設定処理部
【図１】
2018088239.tif 000003
【図２】
2018088239.tif 000004
【図３】
2018088239.tif 000005
【図４】
2018088239.tif 000006
【図５】
2018088239.tif 000007
【図６】
2018088239.tif 000008
【図７】
2018088239.tif 000009
【図８】
2018088239.tif 000010
【図９】
2018088239.tif 000011
【図１０】
2018088239.tif 000012
【図１１】
2018088239.tif 000013
【図１２】
2018088239.tif 000014
【図１３】
2018088239.tif 000015
【図１４】
2018088239.tif 000016
【図１５】
2018088239.tif 000017
【図１６】
2018088239.tif 000018
【図１７】
2018088239.tif 000019
【図１８】
2018088239.tif 000020
【図１９】
2018088239.tif 000021
【国際調査報告】
2018088239.tif 000022
2018088239.tif 000023
2018088239.tif 000024
2018088239.tif 000025